(57)【要約】      （修正有）【課題】回収式自動販売機における回収可能な物品又は対象物を受け入れ、取り扱い、輸送し、貯蔵するための装置を提供する。【解決手段】装置は、１個のカメラ４と第１及び第２の光源を使用する。装置は、回収式自動販売機（ＲＶＭ）１において回収可能な物品又は対象物を受け入れ、取り扱い、分類しそして貯蔵するために有用である。ＲＶＭ１は、かかる物品を支持し、回転させ、分類しそして輸送するユニット３、かかる物品用の直立型貯蔵室２、運転上の障害を避けるための安全設備８、物品上のバーコード及びその他の特性、例えば輪郭の少なくも一つを検知するためのカメラ支援の検知４、単純化されたトークンシステム６，７、及び分類装置と更なる貯蔵装置を機能させるための解除可能な動力継手９を備える。【選択図】図１ａ
0003150604.tif 000002
【実用新案登録請求の範囲】
【請求項１】
観察された特徴に関する信号の続く処理を可能とするために対象物（１０、１０’、１０”、１０’’’）の特有の特徴をカメラで観察できるようにするための装置において、
１個のカメラは、対象物が観察ステーションにあるときに対象物の少なくも第１及び第２の領域を観察できるように配列された視野を有する１個のカメラ（３０８）と、
対象物の輪郭を第１の領域でカメラが観察するのを支援するように対象物（１０、１０’、１０”、１０’’’）の第１の領域（３０６）を第１の方向に照明するように配置される第１の光源（３００、３５０）と、
対象物上に配置される識別用の特徴を第２の領域（３０７）でカメラが観察するのを支援するように対象物（１０、１０’、１０”、１０’’’）の第２の領域（３０７）を第２の異なった方向に照明するように配置される第２の光源（３０１、３０２−３０５）と、
を具備することを特徴とする装置。
【請求項２】
第１の光源（３００、３５０）からの光が、背景区域、又は第２の光源（３０１、３０２−３０５）からの光と異なる成分を有している請求項１による装置。
【請求項３】
第２の光源（３０１、３０２−３０５）が複数の補助の光源から成り、異なる背景区域又は背景成分が補助の光源に作用されるので、全ての補助の光源が異なるか、補助の光源が対毎に異なるか、或いは補助の光源が組み毎に異なっている請求項１又は２による装置。
【請求項４】
光ビームスプリッター（３１６、３１８、３１９）がカメラの視野内に傾斜して配置されて視野の少なくも一部分をカバーする請求項１〜３のいずれか１による装置。
【請求項５】
第１の区域（３０６）を観察する１個のカメラ（３０８）が光学ビームスプリッター（３１６、３１８、３１９）及び少なくとも１個のミラー（３２０、３２１）を介している請求項４による装置。
【請求項６】
カメラ（３０８）が光学ビームスプリッター（３１８）を介して第２の領域（３０７）を観察するように構成されている請求項４又は５による装置。
【請求項７】
カメラ（３０８）が光学ビームスプリッター（３１６、３１９）の位置の外側の第２の領域（３０７）を観察するように構成されている請求項４又は５による装置。
【請求項８】
第１の領域が、第１の光源（３００、３５０）により提供された光背景（３１３、３５０）に対してカメラによって観察できる請求項１〜７のいずれか１による装置。
【請求項９】
追加の対象物輪郭認識に関する第１の領域（３０６）を観察するカメラ（３０８）が、対象物上に配置される特有の特徴の存在又は不在を提供するように構成されている請求項１〜８のいずれか１による装置。
【請求項１０】
カメラ（３０８）は、少なくとも２つの部分的な像（３６０、３６１）に分解される視野における観察を有しており、第１の部分的な像（３６０）は、特有な特徴（３６４、３６４’）の存在と特有な特徴の不在の少なくとも１つを検出するように構成されており、第２の部分的な像（３６１）は、特有な特徴（３６４、３６４’）が存在するのを確認するように構成されている請求項１〜９のいずれか１による装置。
【請求項１１】
背景区域（３１３、３５０）は、背景区域（３１３、３５０）の後側に隣接して置かれたトークン（３６７）上の照明されたマーキング（３６６）をカメラ（３０８）が読み取るための開口（３６５）を有し、前記トークン（３６７）は、トークン分配装置（３６９）から管理された方法で分配され且つ対象物支持手段により支持される少なくも１個の観察された対象物（１０、１０’、１０”、１０’’’）に関連するように構成される請求項１〜１０のいずれか１による装置。
【請求項１２】
トークン（３６７）上のマーキング（３６６）が、光反射性材料、再起反射性材料、及び反射性のトークン材料上の非反射性材料の１つよりから作られている請求項１１による装置。
【請求項１３】
マーキング（３６６）が、発光し又は明るい背景区域（３１３、３５０）の開口（３８５）に隣接して配置された傾斜したミラー（３６８）を介してカメラにより読み取ることができる請求項１１又は１２による装置。
【請求項１４】
１個のカメラ（３０８）が第１及び第２の領域（３０６、３０７）を交互観察、選択観察及び同時観察の１つによって観察するように構成されている請求項１〜１３のいずれか１による装置。
【請求項１５】
カメラの視野を完全に占める光ビームスプリッター（３１８）を有し、カメラは、第１（３００、３５０）及び第２（３０１、３０２−３０５）の光源の対応する作動により交互に、又は選択的に或いは同時に第１（３０６）及び第２（３０７）の区域を観察するように構成されている請求項１〜１３のいずれか１による装置。
【請求項１６】
第２の光源（３０１、３０２−３０５）が、複数の光提供用副光源（３０２−３０５）、残りの１つ以上の光提供用副光源（３０２−３０５）により提供される光のスペクトル範囲と異なるスペクトル範囲の光を提供する幾つかの副光源から成る請求項１〜１５のいずれか１による装置。
【請求項１７】
対象物（１０、１０’、１０”、１０’’’）の特有の特徴を、観察された特徴に関連して続いて処理できるように、装置が前記背景区域（３１３、３５０）内に開口（３８５）を更に備え、トークン分配装置（３６９）から分配されたトークン（３６７）上の照明された対象物識別用マーキング（３６６）を、カメラ（３０８、３４８、３５６、３５８）が前記開口（３８５）を通して観察して読み取ることができることを特徴とする装置。
【考案の詳細な説明】
【技術分野】
【０００１】
本考案は、一般に、ビン、カン又は同等品のような空の飲料物容器のような回収可能な物品又は対象物を、例えば輸送し、分類し、そして貯蔵するために、物品又は対象物を取り扱うための機能的設備の運転を制御するための安全装置に関する。本考案の幾つかの態様はその他の使用分野においても見いだすことがあるが、特に回収式自動販売機に関連して有用である。特に、本考案は、請求項１の前文に規定されるように、カメラの視野内の事象を観察して関連する安全を検知するようにカメラを使用するように構成された、可動部品を有する機能的設備の運転を制御するための安全装置に関するものである。
【背景技術】
【０００２】
本考案は、より費用効率的で更に単純で信頼性がありかつ据付け空間の小さい回収式自動販売機の提供についての要求の認識に続いて現れた。特に、例えば、カメラ、バーコードリーダー、対象物分類装置、対象物輸送装置、対象物回転装置、及びトークンプリンターのような高価な構成要素の数を最小にし、同時に、特に関係床面積のような所要空間を最小にするような重要な論点に焦点を当てることによりかかる新規な機械の総製造費用を低下させる必要性が認識されている。
【０００３】
しかし、かかる認識において、本考案は、それぞれの全てが希望の最終結果に寄与するであろう複数の態様に関連することを明らかにする。
【０００４】
およそこの１０年間で、環境及び経済に対する関心のため、好ましくはリサイクルの目的で材料を回収するために、カン、ビン、ジャー及びその他の容器を収集するための設備の分野における多くの開発に拍車がかけられてきた。今日では、多くの種々の形式の使用済容器、又は使用済容器の部品さえ、これらを受け入れかつ分類し得る完全自動化されたシステムを利用することができる。
【０００５】
回収可能な空の飲料容器のようなリサイクル可能な物品を取り扱うための配列が、特に特許文献１、特許文献２及び特許文献３、及び特許文献４により知られる。
【先行技術文献】
【特許文献】
【０００６】
【特許文献１】ＥＰ０  ３８４  ８８５号明細書
【特許文献２】ＥＰ１３１１４４８号明細書
【特許文献３】ＷＯ０２／１２０９６（ＥＰ１３１３６５６号）明細書
【特許文献４】ＥＰ１４６７７３２８号明細書
【特許文献５】ＤＥ１９５  １２  １３３Ａ１号明細書
【特許文献６】ＥＰ１３１３６５６号明細書
【特許文献７】ＵＳ５  ９３４  ４４０号明細書
【特許文献８】ＥＰ０９１０４８５号明細書
【考案の概要】
【考案が解決しようとする課題】
【０００７】
今日まで、使用済容器を受け入れかつ貯蔵できる入手可能な完全自動化されたシステム、いわゆる回収式自動販売機（ＲＶＭ）及びバックルームシステム（ｂａｃｋ−ｒｏｏｍ  ｓｙｓｔｅｍ）は極めて複雑かつ高価である。このため、これらは、殆どが大型店舗、ショッピングセンター又はスーパーマーケットにおいて、或いはリサイクル可能な物品又は対象物を収集するための特別な施設において見いだされた。
【０００８】
従って、少量のリサイクル可能な物品又は対象物を持った顧客、又は自宅から大型店舗、ショッピングセンター又はスーパーマーケットまでのリサイクル可能な物の輸送を容易にする本来の自動車を持たない顧客は、リサイクル可能な物品を生ゴミと共に安易に捨てることが多い。
【０００９】
現在の入手可能な回収式自動販売機は、通常、受け入れた対象物をバックルーム受け入れ用設備又は下側の設備に送る。全設備は高価であり、かなりの空間を必要とし、更に設置と保守とが複雑であることが多く、更に特に清掃の観点からの機能的な欠点がある。絶対安全な運転を確保するためには、水又は特殊な清掃用薬剤によることが適切な堅固な機能部品の頻繁な清掃が非常に重要である。回収可能な飲料容器は飲み残し飲料が有ることが多く、これは機能部品と接触して、もし適切に清掃されないならば、かかる部品に着いて運転の失敗を引き起こすことが多く発生する。清掃はかなり面倒な作業であることが多く、更に電気部品を傷付けないように注意しなければならない。
【００１０】
大多数のＲＶＭは、例えばバーコードのような対象物上の認識用の特徴を検査する能力を持つ必要がない。専用の検知器によりかかる特徴がすぐに見えない場合は、かかる特徴が実際に有るかどうかを見いだすためにその対象物を回すことが必要であろう。対象物回転機構は高価であり、かつＲＶＭの長さ方向又は奥行方向のかなりの空間を必要とする。更に、かかるＲＶＭが対象物の分類も行う場合は、追加の分類装置を設けねばならず、設備費用が更に加わり、かつ奥行寸法に関するＲＶＭの寸法は、回転装置と分類装置との両者が含まれるときは、ある場合には禁止的な寸法となる。店舗、ショッピングセンター又はスーパーマーケットの大部分のオーナーは、ＲＶＭについて、ＲＶＭが受け入れた容器を集めるためのかなりの空間と費用とを要することに関心がある。
【課題を解決するための手段】
【００１１】
従って、本考案は、リサイクル可能なプラスチック、金属又はガラスの物品のような回収可能な対象物又は物品を収集し、かつ説明された公知の欠点を克服し、このため限定された空間、特に床面積の最適な使用を示す低費用の設備を可能とする改良され自動化された設備を提供して長年の要求に合致することを主要な目的とする。この設備は殆どの場所で使用することができ、小さな店舗、コンビニエンスストア、ガソリンスタンド及び公共空間での設置を可能とする。これによりかかる設備は、顧客に対して便利でより利用し易いものとすることができる。本明細書の読解を通して明らかになるこれらの特徴及びその他の特徴は、本考案の幾つかの目的である。
【００１２】
輸送装置手段は、貯蔵空間を満たすために垂直方向の輸送装置手段を使用することなく、殆ど垂直方向の貯蔵空間内に多数の回収可能な物品又は対象物を貯蔵することを許す本考案の設備と関連して説明される。
【００１３】
従って、このような輸送装置手段は、回収可能な物品を上方向の向きで貯蔵するための内部空間を有する垂直方向向きの貯蔵装置を提供する。
【００１４】
上方向を向いた貯蔵室は、回収可能な対象物又は物品、特にプラスチック、ガラス又は金属製の、特にビン、カン及び同等品のような回収可能な物品を実質的に垂直方向の充填方向で貯蔵するために適している。
【００１５】
貯蔵設備の貯蔵空間部分の実施例が本明細書の詳細な説明中において記載される。
【００１６】
輸送装置手段が、回収可能な物品を受け入れるための設備に使用するために詳細な説明において説明される。
【００１７】
かかる輸送装置手段は、回収可能な物品の受け入れ及び分類に有用であり、本明細書においては、好ましくは貯蔵設備内に縦に重なった状態で回収可能な物品を送り、このことが、かかる使用に対する非常に小型の輸送装置手段を提供する。
【００１８】
輸送装置手段の特有の特徴は、以下の詳細な説明から明らかである。
【００１９】
ドラム型輸送装置手段の更なる有利な実施例が特に説明される。
【００２０】
併しながら、この説明は、回転ドラム型の輸送装置手段に対する別の例を説明しており、この別の例はプランジャー型の輸送装置手段の更に有利な特徴が、請求項７４−９４において説明される。
【００２１】
定められたような輸送装置手段は、好ましくはプラスチック、ガラス又は金属で作られた、特にビン、カン及び同等品のような回収可能な対象物又は物品を、回収可能な対象物又は物品が縦に重なった状態で実質的に垂直方向上向きの貯蔵装置に送るために特に適している。
【００２２】
より特別には、輸送装置手段は、貯蔵空間を満たすために垂直方向の輸送装置を使うことなくかかる対象物又は物品を実質的に垂直方向に向けられた貯蔵空間内に送るために、回収可能な対象物又は物品を扱い、分類しそして輸送するに適している。
【００２３】
対象物の特有の特徴を観察して認識する必要性を認めて、対象物の特有の特徴を観察し、続いて観察された特徴に関する信号の処理ができるようにするためにカメラが対象物の特徴を観察できる装置が記載される。
【００２４】
更に、このような装置は、カメラが対象物の２個の領域を観察し、続いて観察された特徴に関する信号の処理をなし得る装置である。
【００２５】
加えて、カメラが対象物の特有の特徴を観察して、観察された特徴に関する信号の処理をなし得る装置であって、１個のカメラが対象物を置き得る位置を観察し、続いて対象物の輪郭を認識させ、更にカメラと該位置との間にレンズが配列される装置である。
【００２６】
更に、このような装置は単一のカメラを使用することができる。
【００２７】
更になお、カメラが対象物の特有の特徴を、光を提供し又は明るい背景区域と対比して観察し、続いて観察された特徴に関する処理をなし得る装置が記載されている。
【００２８】
カメラで観察した特徴が互いに密接に関係していることに注意することが重要である。
【００２９】
従来技術から、対象物又は物品、例えばカン、ビンのような空の包装体を、光反射性の背景と対比して観察すること、対象物に向けて送られる光線を平行光線にするようにレンズを介して観察を行うことは普通である。特許文献５はかかる技術を明らかにする。かかる観察に基づいて、対象物の輪郭についての解析が行われる。
【００３０】
しかし、特許文献５に開示されたようにビン又はカンの形状の観察と同時に、ビン又はカンの上のバーコードのようなその他の特有の特徴を観察し認識する要求もあった。
【００３１】
回収式自動販売機（ＲＶＭ）においては、ＲＶＭ内のある一つの位置において対象物の形状を認識し、別の位置において表示、バーコードなどのような特有の特徴を認識することが普通である。もし、例えば、バーコードがバーコードリーダーから直接見えない場合は、バーコードが見えてリーダーが読み取り得るようになるまで対象物を回転させねばならない。
【００３２】
対象物の輪郭の検知と対象物上に置かれた表示又は識別用特徴の読み取りの両者をなし得るためには識別用の特徴の見いだし及び読み取りのための対象物の回転を含み、複数の別個の作業ユニットを設けることが必要であり、このため作業遂行のためにＲＶＭ内の余分の空間を必要とすることがよく知られている。もし追加して分類機能の要求がある場合は、利用可能な空間に関連する追加の挑戦が生ずる。前記特許文献２及び５は、ビン及びカンのような飲料容器に対するＲＶＭを参照し、輪郭の検知、バーコードの読み取り及び飲料容器分類の設備を明らかにする。輪郭の検知及び分類は１個の作動ユニットによりなされ（特許文献６を参照）、そして飲料容器用に更なる作動ユニット（特許文献２）を設ける。
【００３３】
特許文献７は、バーコード読み取り、直接見ることのできないバーコードを読み取るための例えばビンのような対象物の回転、並びに分類機能のための検知ステーションがある装置を明らかにする。しかし、かかるステーションにおける対象物輪郭の検知の可能性は、前記特許において明らかにされたように、利用できずそして適切に上流に置かれた別のステーションにより行われることが必要である。
【００３４】
従って、より小型で、しかも簡単かつ費用効果のよい配列でかつ輪郭及び対象物上に置かれた識別用特徴の両者の検知、並びに分類機能及びその他の選択的機能の可能性を有する技術的解決策の提供について長年の要求があった。
【００３５】
従って、本明細書は、主要な検知機能を提供するためにカメラの支援を使用し、更に構造全体に由来するその他の便益を有する装置をまた記載している。
【００３６】
機能的障害をできるだけ回避すること、及び設備の使用者に対する予期しないいかなる負傷も避けることの必要性を認識し、本考案は、可動部品を有する機能的設備の運転を管理するための安全装置に関連している。
【００３７】
対象物がＲＶＭ内のある特定の位置に達したときに、誰かがＲＶ内に手を入れようとしているならば警告するために、又はカメラが見ている検知領域内に入ること又はこの領域内への運動方向を検知するためにビデオ画像を観察するために、対になった送／受信装置の形の運動検知装置又は光カーテンを提供することは回収式自動販売機（ＲＶＭ）においてよく知られた技術である。かかる検知の際に、運動している部品の更なる運動を阻止すること及び／又は警報を発するように作動することができる。更に、送／受信装置の場合は、高価なハードウエアの設置、整列及び保守が必要である。
【００３８】
特許文献８（ＴＯＭＲＡ  ＳＹＳＴＥＭＳ  ＡＳＡ）は、カメラの視野の動きを回収式自動販売機に関連して機能的に制御するカメラを開示する。かかる運動の制御はソフトウエアに関係する。
【００３９】
例えば、回収式自動販売機の空の飲料容器用の入り口領域の画像を提供するカメラのある特別な部分が、安全の障害を監視するために使用される場合は、カメラ機能に関する最新のソフトウエアは、前記監視能力が尚有効であることを保証するために記録し証明しなければならない。かかる処理には時間と費用が多く必要である。例えば、カメラが故障した場合は、画像は、あたかもカメラの視野内に活動又は事象がないかのように空白に見えることがある。かかる状況においては、本来の安全に対する障害のある可能性がある。
【００４０】
安全障害は、例えば、人がＲＶＭ内に手を入れて負傷する危険、又は人によるＲＶＭの不当な取り扱いによる機能的障害を含む。
【００４１】
本考案は、安全に対する障害の排除に関連して、従来技術の解答の本質的な欠点を回避する目的を従って有している。
【００４２】
本考案は、このような安全装置の有用で新規な実施例を従って説明し、添付の請求項１から特徴が明らかとなる。更に、安全装置の別の実施例が添付の請求項２〜８から明らかであろう。
【００４３】
この実施例は、図３７ａ、３７ｂ、３７ｃ、４０ａ及び４０ｂを参照して詳細に説明されるであろう。
【００４４】
回収式自動販売機は、通常、回収式自動販売機が受け入れた空の飲料容器の払い戻し額又は弁済額に関連した特別に印刷されたトークンを発行し、次いで、このトークンは、報奨金額、又はその他の販売品又は対象品、例えば食料品に支払われた請求書から差し引かれる現金を得るために報奨ユニット又はいわゆる清算及び支払いステーションにおいて回収される。しかし、トークンに個々の戻し金額関連データが印刷されるときの本技術熟練者によく知られた時々の印刷機本来の失敗を避けるために、ＲＶＭにおけるトークンの単純化された分配が永い間も望まれてきた。
【００４５】
従って、本明細書は、空の飲料容器の形の空の包装体の受け入れに適した回収式自動販売機用のトークンシステムに関連している。
【００４６】
これに密接に関連して、対象物の特徴を検知して識別するように構成された回収式自動販売機に関連したトークンシステムがあり、トークンは、トークン分配装置から１個ずつ分配することができ、且つ対象物識別のために観察し検知し得る対象物に関連して構成される。
【００４７】
弁済額が印刷された自製のトークンの報奨金支払いユニットにおける提示を通じて詐取しようとする企みの頻発を避けるための警備基準が永い間実行されてきた。新規なトークンは特定の連続番号を有し、そして弁済額及び連続番号の両者はＲＶＭから、トークンを承認するために商店又はスーパーマーケットに適切に置かれた中央コンピューターに通信される。トークンが報奨金支払いユニットに提示されたとき、客に支払いがなされ、中央コンピューターは報奨金支払いユニットにおける有効性からデータを消去することによりトークンを無効にする。
【００４８】
トークンは、これが客に発行される以前に、サーマルプリンターが適切であるプリンターを通過するロールの薄紙から作られる。しかし、かかる印刷された紙のトークンは、プリンターが時々故障する欠点があることを経験が示す。プリンターは高価でありかつ定期的な保守を必要とし、また紙ロールからの紙は高価でありかつできるだけ失敗率を低くするために高品質のものであることが要求される。
【００４９】
従来技術のトークンの幾つかの欠点を揚げたが、従って、この説明に基づいて、ＲＶＭにおけるトークンの印刷を避け、且つ詐取の企みに対する要求される安全を確保し、更に、プリンターの使用及び関連したプリンターの保守を避けるトークンシステムを提供することが目的である。
【００５０】
トークンシステムの好適な実施例が本明細書中に従って記載されよう。
【００５１】
請求項１〜８に規定されるように、本考案の特徴に加えて、清掃、保守などの目的で運転ユニットを分離し得る回収式自動販売機における本来の問題に、本明細書の説明が関連しており、従って、空の飲料容器の形の空の包装体の扱いに適した少なくも１個の取り扱いユニットを押し付けて駆動するための回収式自動販売機の新規な駆動装置が記載されている。
【００５２】
回収式自動販売機（ＲＶＭ）において空の飲料物容器を扱うために使用される設備は、かかる容器の内部からの残りの飲料物によりしばしば汚染され、そして定期的に適正に洗浄し清掃しなければ設備の不具合又は駆動モーターの過負荷を起こす。多くの場合、毎日１回の清掃が必要である。
【００５３】
かかる設備は、通常は、設備の外側又は内側にしっかり取り付けられた駆動モーター、及び回収式自動販売機に動力を供給するために複雑で高価なプラグ／ソケット型継手を有し作られる。
【００５４】
かかる設備を清掃するときは、高温の水及び／又は加圧された水又はその他の洗浄剤で、モーター及び継手を損傷させことがあり、或いは水の侵入により損傷を受け、漏電による不具合又は回路の短絡の固有の危険を伴う湿気を獲得することがある。従って、かかる危険又はその他の機能的な問題又は障害を避けるめに費用がかかりかつ複雑な技術的解決策を設計しなければならない。かかる解答は特殊目的のモーター、プラグ及びソケットユニット、配線などを含む。
【００５５】
従って、本考案は、残りの飲料の飛沫を除去するために頻繁な清掃を必要とする回収式自動販売機の運転と結び付いた日常的な問題を克服することを意図する。飲み残し飲料は、糖分の含有量が非常に大きく、このため機能的構成要素を焼き付かせ、構成要素間を付着させて、機能的構成要素及び駆動ユニットを不必要に摩耗させ破壊させ、多くの構成要素の寿命を短くし、同時に不具合の実質的な危険を生ずる。
【００５６】
駆動装置の好適な実施例が、詳細な説明から明らかである。
【００５７】
以下に、安全装置と共に、上方向向きの貯蔵装置、輸送装置手段、対象物の特徴をカメラの助けで観察する装置、トークンシステム及び駆動装置等が例により、且つ添付図面を参照して説明されるであろう。説明中、同じ符号は同じ要素を示すが、幾つかの要素に関しては同じ特性の機能を有する複数の要素に対して実際的な理由から異なる符号を使用した。
【図面の簡単な説明】
【００５８】
【図１ａ】対象物貯蔵室；対象物の支持、回転、分類及び輸送手段；カメラ式検知装置；補助の物品／対象物収集手段；トークン分配装置；トークンリーダー；安全装置；及び駆動手段を有する回収式自動販売機の例示モードの斜視図を示す。
【図１ｂ】水平方向に関して傾けれた長手方向軸線を有する対象物回転、分類、及び輸送手段を示す。
【図１ｃ】水平方向に関して傾けれた長手方向軸線を有する対象物回転、分類、及び輸送手段を示す。
【図２ａ】本考案による本質的に上向きの貯蔵装置又は貯蔵室実施例を示す。
【図２ｂ】圧縮装置と組み合った図２ａの実施例を示す。
【図２ｃ】圧縮装置と組み合った図２ａの実施例を示す。
【図３】本考案による貯蔵設備用の貯蔵空間又は貯蔵室の更なる原理図をである。
【図４】本考案による貯蔵設備用の拡張可能な貯蔵室の第１の実施例を示す原理図である。
【図５】本考案による貯蔵設備用の拡張可能な貯蔵室の第２の実施例を示す原理図である。
【図６】複数の貯蔵室を有する本考案による貯蔵設備用の拡張可能な貯蔵室の実施例を示す原理図である。
【図７】複数の貯蔵室及びドラム型輸送ユニットを有する本考案による貯蔵設備の可能なレイアウト例を示す原理図である。
【図８】多くの貯蔵室、輸送及び分類手段、及び投入物受け入れ区域に置かれた回収可能な品物又は対象物の形式から情報を読み取り、又は形式を検知するための手段を有する本考案による貯蔵設備の可能なレイアウトを示す原理図である。
【図９】第１の回転方向位置に置かれた本考案による貯蔵設備用のドラム型輸送装置の部分的断面図である。
【図１０】図９に示されたドラム型輸送装置の斜視図である。
【図１１】本考案に組み込むためのドラム型輸送装置の実施例の部分的断面図であり、ドラムは、ピストン状プランジャー部材が後退位置にある状態で第２の回転方向位置にある。
【図１２】図１１の輸送装置の斜視図である。
【図１３】本考案の貯蔵設備に組み込むためのドラム型輸送装置の実施例の部分的断面図であり、ドラムは、ピストン状プランジャー部材が前進位置にある第３の回転方向位置を取るために第２の回転方向位置から第２の回転方向位置に回転される。
【図１４】図１３のドラム型輸送装置の位置状態の斜視図である。
【図１５】本考案による貯蔵設備に組み込むためのドラム型輸送装置の実施例の部分的断面図であり、ドラムは、図１１、１２で出発し図１３、１４で終わる方向とは逆の回転方向、即ち、ピストン状プランジャーが前進した下向きの位置を有する更なる回転方向位置を取るために、図１５で見て第２の位置から第１の位置への時計方向の回転で回転される。
【図１６】ななめ下方から見たときの、図１５のドラム型輸送装置の位置状態の斜視図である。
【図１７】ローラー及びローラーに適用されたロードセルを有する本考案の貯蔵設備に組み込むためのドラム型輸送装置の実施例の斜視図である。
【図１８】可動アーム上のローラー用軸受及びロードセルを有するキャビネット内に位置決めされたドラム型輸送装置の実施例の図面である。
【図１９】軸受及びロードセルがローラーと組み合うように可動アームが位置決めされた図１８の軸受け及びロードセルの実施例を示す。
【図２０】静止ハウジング内に可動プランジャーを有しかつ本考案による貯蔵設備に有用な輸送装置の第１の実施例の原理図である。
【図２１】別の運転状態にある図２０の輸送装置の原理図である。
【図２２】図２０及び２１の輸送装置の第２の変更された実施例の原理図である。
【図２３】図２２の輸送装置の図式的な側面図である。
【図２４】輸送装置の投入物受け入れ区域に受け入れられた回収可能な物品の回転を図解するための図２０−２３の輸送装置の原理図である。
【図２５】対象物の輪郭及び対象物上の識別用の特徴又は表示を見るためにカメラ式観察装置の第１の実施例の原理図である。
【図２６】第１の対象物の支持、回転、貯蔵及び輸送用の手段をより詳細に示すカメラ式観察装置の第１の実施例のわずかに詳細な原理図である。
【図２７】カメラ式観察装置の第２の実施例の原理図である。
【図２８】カメラ式観察装置の第３の実施例の原理図である。
【図２９】カメラ式観察装置の第４の実施例の原理図である。
【図３０】カメラ式観察装置の第５の実施例の原理図である。
【図３１】カメラ式観察装置の第６の実施例の原理図である。
【図３２】第２の対象物の支持、回転、貯蔵及び輸送用の手段の原理図である。
【図３３】カメラ式観察装置の第７の実施例の原理図である。
【図３４】カメラ式観察装置の第８の実施例の原理図である。
【図３５】カメラ式観察装置の第９の実施例の原理図である。
【図３６】カメラ式観察装置の第１０の実施例の原理図である。
【図３７ａ】２個の画像部分を有するカメラ画像を示す。
【図３７ｂ】表示された専用のカメラ画像センサーマトリックス画素に組を有するカメラ見張り画像を示す。
【図３７ｃ】図４６のブロック図の単純化された回路図形成部分を示す。
【図３８】トークン貯蔵区域内のトークン上のバーコードを読み取るカメラを示すための原理図である。
【図３９】トークンの例である。
【図４０ａ】支持装置及び背景区域又はパネルの部分図である。
【図４０ｂ】図４０に示された背景区域又はパネルの変更例である。
【図４１ａ】トークン読み取り手段の第１の実施例の略図である。
【図４１ｂ】トークン読み取り手段の第２の実施例の略図である。
【図４２】図３８の図の一部分の斜視図である。
【図４３】下方から見たトークン分配装置の斜視図である。
【図４４】ななめ上方から見たトークン分配装置の斜視図である。
【図４５】実質的に上方から見たトークン分配装置の斜視図である。
【図４６】本考案を組み込んだシステム内の電気的又は電子的な機能要素のブロック図である。
【図４７】前記対象物の支持、回転、分類及び輸送の諸手段においてドラムを回転方向で駆動するための駆動手段を図解するための原理図である。
【図４８】駆動手段（図４８ａ）と取り扱い装置、例えば「軟落下」式貯蔵容器（図４８ｂ）との間を結合している機械式の駆動装置を図解するための原理図である。
【図４９ａ】別の機械式駆動装置の原理図を示す。
【図４９ｂ】図４９ａの駆動装置の変更例を示す。
【図５０ａ】第１の形式のドラム式回転方向位置センサーが示される図４７の略図を示す。
【図５０ｂ】第２の形式のドラム式回転方向位置センサーが示される図４７の略図を示す。
【図５１】対象物貯蔵室；対象物の支持、回転、貯蔵及び輸送用の手段；品物収集手段；トークン分配装置；トークンリーダー；及び駆動手段を有する回収式自動販売機の斜視図を示す。
【考案を実施するための形態】
【００５９】
［ＲＶＭの概観］
図１ａは、本考案の新規な主態様を具体化した回収式自動販売機（ＲＶＭ）１の実施例、即ち、対象物貯蔵室２；対象物の支持、回転、分類、及び輸送ユニット３；カメラ式検知装置４；付属の物品／対象物収集手段５；トークン分配装置６；トークンリーダー７、安全装置８、及び駆動手段９；９’を示す。ユニット３（後で２００として示す）は、図１ｂ及び１ｃに示されるように、水平方向の又は水平方向と角度αを形成し±０゜〜３０゜範囲の角度βを生む長手方向軸線３’を持つことができる。以下、より詳細に明らかにされるように、述べられた機能的手段２−９は、実際的な理由で、別の符号で示されるであろう。この方針は、図１ａの図面を示している図５１においても行われるが、図２−５０に関連した以下の開示においては広く開示された種々の機能的手段の幾つかの位置を同定するためにより多くの符号が挿入される。
【００６０】
［上向きの貯蔵］
本考案による貯蔵室の主図面を示している図２ａを参照し、貯蔵室及び本考案の原理に関連した幾つかの特徴が説明されるであろう。本考案の有利な実施例においては、貯蔵室は、底部と側壁とを有する細長くて垂直方向に向けられた形を持つ。側壁は、複数の回収可能な物品の横並びの貯蔵を許すに十分に間隔を空けられることが好ましい。貯蔵室は、室の下方部分に供給用開口を持つ。この開口は、好ましくは、一方の側壁に配置され、そして貯蔵物の供給は、この室内に貯蔵すべき回収可能な対象物又は物品を、供給用開口を経て貯蔵室内に駆動することにより得られる。対象物又は物品を貯蔵室内に駆動する力を適正に選ぶことにより、及び好ましくは強制的に押し又は推力を加えることにより、既に貯蔵室内に置かれている対象物／物品は、室が供給用開口の置かれた高さまで満たされるまで、供給用開口から離れて内部又は後方に強制され、その後、対象物／物品を更に室内に駆動することにより上向きに駆動される。
【００６１】
図２ａの説明図において、本考案を示している貯蔵室１００に、底部部分１２０、側壁１３０、１３１、又は１３２、及び上方部分１５０が設けられる。供給用開口１４０は、一方の側壁の下方部分に置かれる。貯蔵用の空間又は室１１０内に集められた回収可能な物品を取り出すために、貯蔵空間１１０から取り出し可能な輸送用容器（図示せず）、例えば大きい箱の中に安全に移すために、底部１２０は、室又は空間１１０内に貯蔵された物品をここから取り出せるように、これを可動又は脱着自在に作ることができ、或いは側壁１３０の一方を可動に作ることができる。室が回収可能な対象物／物品１０で満たされると、供給用開口１４０を経て貯蔵室内に更に駆動するように対象物／物品１０に加えられた力が、貯蔵された物品１０の摩擦又は重量に由来するようなその他の力のために既に貯蔵室内にある物品の幾らかの緊張を上昇させることができる。緊張又は摩擦は、一杯になった貯蔵空間を空にしようとしたとき典型的に問題を生ずることがある。このため、貯蔵空間を空にするために底部部分１２０が開くようにされた事例において、内部壁１３２を、貯蔵室内に既に置かれた物品１０から離れる方向に動し得る可動の内部壁１３２が提案された。そこで、緊張は軽減され、摩擦は減らされる。これが、貯蔵室を容易に空にすることを許すであろう。貯蔵室が供給用開口より上まで満たされると、貯蔵空間内に既に置かれていた対象物／物品が供給開口又は入り口開口を通って逆流することが有り得る危険がある。有り得るかかる逆流を止めるために、供給用開口の区域内に逆流阻止用の配列１７０が設けられることが好ましい。
【００６２】
貯蔵空間は、回収可能な物品を前記上向きの貯蔵室内に貯蔵するために、物品の幅の寸法１１の倍数の幅寸法１１１を示し、これにより複数の回収可能な物品を、内部空間内で実質的に又は少なくも部分的に横並びで受け入れることができる。
【００６３】
図２ａにおいて、物品を貯蔵室１００内に供給するための輸送装置２００が示される。かかる輸送装置の具体例が図８−２４を特に参照し説明されるであろう。
【００６４】
図２ａは貯蔵室の内側の最下部における回収された物品の理論的な横並びの詰め込み状態を示すが、実際の試験は、事実上、貯蔵室の高い部分に示されるように少なくも部分的に「食い違い」状態にあることが確かめられた。一般に、室内の積み重ね全体にわたって少なくも部分的に「食い違い」の詰め込みがあるであろう。
【００６５】
図２ｂは、輸送装置２００と貯蔵室１００との間における物品又は対象物の圧壊装置２９０の使用を示す。圧壊装置２９０は、適宜適切な形式のものとすることができる。ある特別な実施例においては。これは、回収可能な物品を徐々に平たくしかつ穴を空けるためにくさび状配列の刺のあるチェーン形式のものとすることができる。圧壊装置として作用する圧壊用ローラー、並びにその他の形式の公知の圧壊装置の使用も考えられる。
【００６６】
図２ｂにおいて、輸送装置２００は圧壊装置２９０の上流に備えられるが、特別な実施例においては、貯蔵室１００及び圧壊装置２９０は、輸送装置２００の使用なしで作業し得ることが認められるであろう。一般に図２ｃにおいて示されたような別形式の装置においては、図２ｂに示されたような輸送装置を持つことができ、又は輸送装置を設けないことができ、或いは圧壊装置と機能的に一体化することができ、この一体化された装置は符号２９１で示される。
【００６７】
図２ｂの圧壊装置２９０は、物品１０の長手方向軸線が供給方向を横切る状態で回収可能な物品を受け入れることを示す。図２ｃに示される圧壊装置２９１は、長手方向軸線が供給方向にある回収可能な物品１０を受け入れ得る適切な形式のものである。しかし、これは、貯蔵室の横方向寸法が、少なくも圧壊される物品１０の最大の長手方向の大きさ１１”より大きく、圧壊された物品１０’に関連した寸法１１’であることが好ましい。
【００６８】
物品が貯蔵室１００内に供給されるとき、物品が横方向又は長手方向で圧壊装置内に送り込まれた場合でも、圧壊後は、圧壊された物品の方向は任意であり、或いは高度の「食い違い」状態である。
【００６９】
さて、図３を参照し、別の貯蔵室の供給用配列が説明される。図３に示された原理においては、図２ａ−２ｃに示された原理と比べ、供給用開口１４０が側壁に位置決めされず、貯蔵室１００の底部１２２に置かれる。この配列により、貯蔵すべき物品１０に上向きの運動又は駆動力の成分が与えられ、その結果、物品を貯蔵室内に駆動する部分的に上向きの駆動力成分が加えられる。図２ａ−ｃに示されたものと同様に、貯蔵空間内に貯蔵された物品を取り出すために、可動又は脱着自在な底部部品１２１により、又は図２ａ−２ｃにおいて１３０、１３１又は１３２により示された側壁配列によるような、幾つかのオプションを提供することができる。図示された貯蔵室は、溢出開口１６０を設けることにより、貯蔵された物品１０の溢出を扱うようにすることができる。余分の対象物／物品は、貯蔵空間が一杯になったときこの開口を通って貯蔵室１１０から出ることができ、これにより貯蔵室１１０は、室が最大充填値に達したときに追加の物品１０による室の更なる充填から生ずる応力の付加の可能性が軽減される。
【００７０】
図４は、原則として本考案による貯蔵設備用の拡張可能な貯蔵室を示す。貯蔵室は、その下方部分に、図２−２Ｃ又は３に示されたような適宜形式の供給用開口を持つことができ、かつ可動の頂部部分１５１により拡張可能に作られる。可動の頂部部分１５１は軽量材料で有利に作られることにより、供給用開口を通って貯蔵空間に入る回収可能な対象物／物品に加えられた駆動力は、貯蔵室の拡張を許すように頂部部分を上向き方向に動かすに十分であろう。貯蔵空間の入る対象物又は物品１０に加えられる駆動力を、頂部部分について選ばれたデザイン又は材料に関係なくある大きさに維持できるように、頂部部分１５１の上向きの運動を、機械式、電気式、水圧又は空気圧式の手段によっても容易に行うことができる。
【００７１】
図５は、拡張可能な貯蔵室を提供するための別の方法の原理を示し、これにおいては、上方部分１５０は、上方部分の上向きの運動により撓み得る部材を備え、連結された可撓性部材１５２が、回収された物品により貯蔵空間が満たされたとき、貯蔵空間の増加を提供するであろう。図４に関して上述されたように頂部部分及び可撓性部材は軽量材料で作られることが有利である。頂部室の拡張に対して要求される上向きの運動は、供給用開口を通って部材を貯蔵空間内に駆動するとに加えられる力により容易に行うことができる。電気式、機械式、水圧又は空気圧のようなその他の手段により上方部分及び可撓性部材１５２の垂直方向運動を提供することができる。
【００７２】
さて、多数の貯蔵室を有する可能なレイアウトにおける本考案の原理の図解を提供する図６を参照する。図６に示された貯蔵設備の実施例は、３個の貯蔵室１１０、１１２及び１１４を備え、その各は、輸送装置２００と連絡するように位置決めされたそれぞれの供給用開口を持つことができる。この輸送装置は、投入物受け入れ区域１１０内で物品を受け取り、受け入れた物品を、貯蔵室１１０、１１２、及び１１４の供給用開口１４１、１４２及び１４３（図２０−２４及び３２の実施例に関する符号２６３、２６４及び２６５も参照のこと）の選ばれた一つに輸送することができる。貯蔵室１１０には共働する補助貯蔵空間１６１が設けられ、この補助貯蔵空間は、隣接した側壁の上方部分の溢出開口１６０により第１の貯蔵室１１０と連絡している。貯蔵室１１０及び１１２は、それぞれその側壁の最下方部分に置かれたそれぞれの供給用開口１４１及び１４２を有し、更に適切な物品がそれぞれの供給用開口を経て室内に送られたとき上向きにそれぞれの室を満たすに適切に寸法が決めされる。図６の例においては、貯蔵室１１０は、適切な物品がそれぞれの供給用開口を通して室内に駆動されたとき、駆動力は恐らくは既に上向きの駆動成分を持っているが、駆動され又は特別な方法で貯蔵空間内に強制されている対象物／物品に上向きの力の成分を提供するために、室の内側でかつ供給用開口１４１から適切な距離に置かれたデフレクター１８０が設けられる。そこで、物品１０が室に入るときこれに加えらる上向きに駆動力は、より一定となり、かつ室内に既に置かれた別の物品１０の形状及び性質により左右されることも少ない。デフレクターは、貯蔵室を空にするとき貯蔵室内にあった全ての物品を完全かつ容易に取り出せるように、傾けることができるように可動であり又は外すことさえできることが有利である。
【００７３】
図７は、図６に示されたレイアウトの単純化され、かつ回収可能な物品を受け入れ、輸送し、分類し、そして貯蔵するための非常に小型化されたドラム形式の輸送装置の変更例を示す。図７に示された配列は、本考案の小型の輸送及び分類装置２００及び垂直方向に向いた貯蔵室の使用により、非常に小さい床面積しか必要としないにも拘わらず、大量の回収可能な物品を分類し、輸送しそして貯蔵することができる。そこで、低い高さから高い貯蔵空間を満たすために特別な持ち上げ用の配列の使用に対する要求が無くされ、このため、実際的な配列及び具体例において、貯蔵室は適宜の高さから希望のように天井に至るまで延ばすことができる。これは、利用可能な床空間が典型的に極めて小さいコンビニエンスストア又はガソリンスタンドのような小さい事業環境において極めて便利である。図７の実施例は、輸送装置及び分類装置２００の下方の追加の貯蔵室又は物品収集装置１１４を提供する。ビン及びカンのような回収可能な物品をリサイクルする事例においては、輸送及び分類装置２００がかかる種類の物品を収集装置１１４の受け入れ用開口のすぐ上方に持って行ったときに、ガラスビンを、例えば、重力により収集装置１１４内に落とすことができる。
【００７４】
図８は、本考案の更なる実施例を示し、この実施例は、異なった種類の回収可能な物品１０を貯蔵するために、１１０、１１２及び１１４で示された３個の異なる貯蔵室を有する非常に小型のドラム型輸送装置を利用する。輸送装置２００は、幾つかの基準及びドラム駆動ユニットを作動させる制御装置により作られた命令に基づいて、投入物受け入れ区域２１０に物品１０を受け入れ、この物品を貯蔵空間１１０内に物品を駆動する第１の出口２２４か或いは第２の出口のいずれかに動かし送り出すようにされる。この第２の出口は、受け入れた物品１０を関連の貯蔵室１１２内に駆動する第２の出口２２６か、或いはこの特別な実施例においては、重力が輸送装置から関連の貯蔵空間１１４に至る物品１０の輸送を支援する第２の出口２２６’かのいずれかである。この貯蔵空間１１４は、例えば壊れ易いガラス製品又は大量の液体を運ぶビンのような重量品のような比較的大きな駆動力を必要とする物品に対し、或いは別の理由で投入物受け入れ区域の高さより以上の高い層のために直立式貯蔵空間１１０又は１１２の一方に駆動するには不適なことが見いだされた場合に特に有用である。
【００７５】
図８には３個の貯蔵室１１０、１１２及び１１４が示されるが、図示のような回転式輸送装置及び分類装置のある実際的な実施例においては、例えば、関連の出口２２４、２２６；２２４、２２６’；又は２２６、２２６’を有する２個の貯蔵室、例えば１１０、１１２；１１０、１１４；又は１１２、１１４が使用されるであろう。
【００７６】
図８のレイアウトにおいては、貯蔵室１１０には、補助貯蔵室１６１への連絡を提供する溢出開口が設けられる。図示された設備のレイアウトは、小型のドラム型輸送手段の使用により改良された非常にコンパクトなデザインを提供する。設備において回収可能な対象物／物品を置く人のために、示されるように投入物受け入れ区域２１０が設備の下半分に置かれることが好都合である。設備は対象物／物品の認識ユニット２０を備え、このユニットは輸送装置２００の運転を管理するための制御装置を備え、又は制御装置に連結される。認識ユニット２０は、光学式又は音響式とすることができ、或いは投入物受け入れ区域２１０内に置かれた回収可能な対象物／物品の種類を判定するため、或いは物品１０によりもたらされ又は物品上に置かれた情報又は識別用特徴（例えば、バーコード）を読み取るために、磁気的、機械的又は電気的の感知のような別の技術又は補助技術を使用することができる。図２５−４２、及び４６と関連して、認識ユニットの好ましい実施例が更に明らかにされる。特に、貯蔵室１１０；１１２に関して、可動側壁１３０；１３２又は着脱自在の貯蔵室１１４の使用により、貯蔵室１１４を第１の貯蔵室１１０の下方にあるように示された未使用の空間を満たすように拡張させることができる。
【００７７】
［回転式ドラム型輸送装置手段］
本考案のドラム型輸送装置の例を説明するために図９を参照する。ドラム型輸送装置は、回転の長手方向中心軸線２２１を中心にして回転するドラム状の部材を備える。ドラムには、前進後退することができる長い可動部材を保持するために、ドラムの周辺区域において開口している実質的に長方形の長い凹所状の空間又は空洞部が設けられる。可動部材は、前進位置においてドラムの外面と実質的に整列されることが好ましい外面を持つ。付属図面において、可動部材は符号２２３で示され、ドラム内の空間又は空洞部は符号２２２で示される。ドラム２２０の回転能力は、ドラムの各端部区域に置かれかつ回転軸線２２１上に置かれた軸受の使用により得られる。例えば、図８の原理図においてキャビネットとして示されたような構造の一部を、軸受の定位置への保持に適合させ、これにより、ドラムは、その外面２２８が、キャビネット２５０（図１８参照）、４２８（図５０参照）の投入開口４２５（図５１参照）と一致して作られた投入物受け入れ区域２１０に近接した状態で回転することができる。これに代わるものとして、輸送装置の清掃、試験、保守及び交換を容易にするように輸送装置組立体の取り外しが容易な輸送装置組立体を形成するために、図１０及びその他の図面に示されるようにドラム２２０をフレーム２４０内に位置決めすることができる。
【００７８】
本考案におる貯蔵設備内に置かれたとき、輸送装置ユニットの適正な整列及び良好な固定を確保するために、フレーム２４０は、好ましくはキャビネット２５０（図１８）、４２８（図５１）の部品である受けフレーム２５１（図１８）に適合するように適切に順応するようにされ、これが、先の幾つかの図に例示されたように、貯蔵設備の任意の可能なレイアウトを容易にする。
【００７９】
可動部材２２３は、図１０、１４又は１６に示されるように、可動部材２２３に取り付けられたタペット又はローラー２３２を備えた可動部材駆動手段により駆動されることが好ましい。タペット又はローラーは、ドラムの端部の近くに置かれかつドラムに関して静止しているトラック２３１に従う。ドラムのそれぞれの端部に接近して置かれたそれぞれの静止トラック２３１と組み合うタペット又はローラー２３２を可動部材の各端部に設けることにより、ドラムの回転により平衡した駆動力を可動部材に加えることができる。可動部材は静止トラックに関するドラムの運動により駆動されるので、組立体をここで説明されたように運転するにはドラムを駆動することだけしか要求されないであろう。トラックの形状、即ちドラムの回転軸線からトラックまでの距離が、ドラムの中心軸線に関する半径方向距離におけるタペット又はローラー２３２の位置、従って可動部材の位置を制御する。トラックは、タペット又はローラー手段２３２が追随する単一の連続トラック２３１である。
【００８０】
図９において、ドラム２２０は第１の回転方向位置において示され、この位置においては、可動部材は前進位置にあり、そして投入物受け入れ空間又は区域２１０内に入れられた回収可能な対象物／物品１０は、ドラムの外周面２２８の上向きの領域に置かれる。好ましい実施例においては、ドラム型輸送装置は、ドラム２２０がその回転軸線２２１まわりに回転するときドラム２０の表面２２８上にある回収可能な対象物／物品１０の回転を容易にするために、投入物受け入れ区域内の物品を保持しつつ物品の回転を許す長いローラー２４３、又はその他の手段を備える。特に、容器の識別のため或いは容器に関する特定の情報を提供するために、例えば、図８に示されるような投入物受け入れ区域を観察するように置かれた読み取り装置又は認識装置２０の使用により読み取ることができるようにコードが設けられているときは、回収可能な物品は、コードを読み取り得るように、対象物／物品１０のコードの付いている部分の位置決めするために、対象物／物品を回転させることがしばしば要求される。ドラム型輸送装置は、区域２１０から出口２２４まで伸びる案内２４１、例えば湾曲板部材も有し、これについては図１５を参照し更に説明される。図１５の同様に示された更なる案内は、区域２１０から下方に出口２２６’に伸びることができる。
【００８１】
図１０は、図９に示されたと同様に第１の回転方向位置にあってかつ回収可能な物品１０がドラム周囲の上向きの部分の上にある状態のドラム２２０の斜視図を示す。図１０の実施例においては、輸送装置は、ドラムの回転と関連してローラー２４３を駆動するためのローラー駆動手段２４４が設けられ、このためローラー２４３の表面速度は、回転時のドラムの転動面２２８の速度範囲にある。ローラー駆動手段２４４は、ドラム２２０の回転によりローラー２４３の回転を機械式に提供する歯車式駆動機構を備えることが好ましい。投入物受け入れ区域内でかつドラム２２０及びローラー２４３の上に置かれた回収可能な対象物／物品１０の軸方向の運動は、ドラム２２０と組み合わせられその各端部に置かれた端部壁２２９により部分的に制限され、更にフレーム２４０を構成する部材２４２により部分的に制限される。ピストン状の可動部材２２１の後退位置と前進位置との間のその運動を駆動するための手段の設計に応じて、図１０に示された輸送装置に、ドラムのある一つの回転角度位置だけに相当する１個の出口２２４を設け、或いはドラムの別の回転角度位置の第２の主力を設けることができる。
【００８２】
図１１に、投入物受け入れ区域に面してドラムに空間又は空洞部の開口があり、かつ可動部材２２３が後退位置に動かされた第２の回転方向位置にあるドラム２２０が示される。これにより、ドラムが第１の位置から第２の回転位置に回転されると、ドラムの円周面２２８上にある図９に示された回収可能な対象物／物品１０は、空間又は空洞部２２２内に落下することができ、そしてドラム２２０により収容される。同じ状況が、図１２の斜視図にも示され、この図は、回収可能な対象物／物品１０が空洞部２２２により提供された空間より先に出ないようにこれの運動の拘束に寄与する空間２２２の内側の側壁及びドラム端部壁２２９の部分を示す。
【００８３】
図１３に、第３の角度方向位置にあるドラムを示しているドラム型輸送装置の部分的断面図が示される。対象物／物品１０を貯蔵室１１０の供給開口に向けて駆動するために、可動部材は、この位置において、まず、図１１及び１２に示された後退位置から回収可能な物品を第１の出口２２４に駆動する前進位置に反時計方向で戻される。それぞれ貯蔵室１１２及び１１４に供給する出口２２６又は出口２２６’の一方である（双方ではない）第２の出口に第２の時計方向で駆動されることも考えることができる。ドラム型輸送装置には、空間２２２が投入物受け入れ区域２１０に面している第２の位置から空洞部２２２の開口が第１の出口２２４に面する第３の角度方向位置にドラムが回転される間、物品１０を空洞部２２２内のその位置に拘束するために前記案内２４１が設けられる。空洞部２２２の開口が第１の出口２２４と揃えられかつ可動部材２２３が前進位置にある状態の同じ状況が図１４の斜視図にも示される。
【００８４】
図１５において、このドラム型輸送装置の部分的断面図は、図１１に示された状況に基づいた状況を示す。ドラムは第２の逆の回転方向（この例においては時計方向）で回転され、ドラムがその第２の回転方向位置にあったときに空間又は空洞部２２２内に受け入れられた回収可能な対象物／物品１０は、ほぼ１８０゜のドラムの回転により運ばれ、ドラムは図９及び１０に示された第１の位置をとる。対象物／物品は、後退位置から前進位置に動く可動部材２２３により、加えて重量の効果により、空間２２２から外に駆動される。空間が投入物受け入れ区域２１０に面している第２の回転方向位置から空間２２２の開口及び部材２２３の湾曲面２２３’が出口２２６’と揃った第１の回転方向位置へのドラムの回転中、対象物／物品１０が空間２２２内に保持されてる間の運動を拘束するために案内２４１が設けられる。図１５の状況は、物品１０が別の出口２２６’において輸送装置から出ている状態の図１６の下方から見た斜視図１６で示される。
【００８５】
凹所状空間又は空洞部に入った物品１０のドラム式輸送装置及び分類装置が組み合わせられた特別な実施例の２個の可能な出口の一方への輸送を容易にするために、逆方向の回転を使うことができる。例えば、付属図面の図９−１６に示された実施例においては、ドラムは、物品を第１の出口２４４に輸送するために第１の方向（例えば、示されるように反時計方向）で回転され、一方、第２の出口２２６又は２２６’において物品１０を輸送するために第２の方向（示されるように時計方向）の回転がドラムに加えられる。
【００８６】
そこで、この文脈においては、ドラム２２０の主な回転方向位置は、事実上、次の４箇所ある。
【００８７】
ａ）凹所２２２及び部材２２３が下向きの第１の回転位置；
ｂ）凹所２２２及び部材２２３が上向きでかつ投入物受け入れ区域に面している第２の
回転位置；
ｃ）凹所２２２及び部材２２３が第１の出口２２４に面している第３の回転位置；及び
ｄ）凹所２２２及び部材２２３が第２の出口２２６に面し、或いは別の第２の出口２２
６’に面している第４の回転位置。出口２２６’に面している場合は、第４の回転
位置は、事実上、第１の回転位置と同じであろう。
【００８８】
さて、図１７、１８及び１９を参照すれば、本考案のドラム型輸送装置に置かれた回収可能な物品の質量を判定するためのロードセル配列が示されるであろう。物品１０は、ドラム２２０上に位置決めされたとき、又は物品１０を旋回させるようにドラム２２０を回転するとき、ローラー２４３が設けられた場合は、部分的にローラー２４３上にあり、そしてローラーとともに回転するであろう。対象物／物品１０がどのようにしてローラー２４３上に押し付けるかを観察するために図９も参照する。本考案により設備内に貯蔵するために対象物／物品１０を受け入れるか否かを決定するため、或いは複数の貯蔵室を有する実施例において適切な貯蔵室を決定するために、対象物／物品１０の質量を測定しなければならない。質量の測定を容易にするために、ローラー２３４は、その一方の端部にローラー軸２４７を支持する少なくも１個の軸受２４５が設けられ、この軸受２４５は、ロードセル２４６に連結されこれにより支持される。図１７に示された実施例においては、ロードセル２４６は輸送装置のフレーム２４０に取り付けられる。ローラーの他方の端部には更なる軸受２４８が設けられる。
【００８９】
ローラー２４３上にある回収可能な対象物／物品１０の質量を決定するための図１７のロードセル配列の第２の別な実施例が図１８に示される。この配列は、輸送装置がキャビネット２５０内に位置決めされたとき、ローラー軸２４７の一方の端部に取り付けられた軸受２５２を備える。この特別な実施例においては、軸２４７は、ドラム型輸送装置をキャビネット２５０内に位置決めした後、軸受２５２をローラー２４３の軸２４７の端部部分に取り付けた状態で、ローラー２４３の回転軸線に関して直角な、適切には垂直方向の平面内で部分的に自由に動ける。２５１はロードセル２５３への電気接続を表す。図１８において、着脱自在な軸受け２５２及びその組み合わせられたロードセル２５３は外された状態で示され、一方、図１９においては、軸受２５２を保持しているキャビネットアーム２５０’は、キャビネット２５０又はフレーム２４０に関連してロードセル２５３のある軸受を提供するためにローラー軸２４７の軸受と組み合う端部と軸受２５２とが組み合う位置に設置されている。図１７−１９の実施例は、輸送装置の頂部に置かれた回収可能な対象物／物品１０内に残っている液体内容物が流出する危険をできるだけ避けるために特に有利である。かかる流出は、望ましくないかかる液体の流出を清掃するために、キャビネットからの輸送装置の取り外しを通常よりも頻繁に行うことを要求するであろう。また、ロードセルの使用は、未開封の充満の飲料容器を受け入れ区域内に入れドラムの頂部に置くことによるＲＶＭ使用者による詐取の企みの成功を防止する。検知システム２０（図８参照）は、後で説明されるように、所定のデータにより、ある特別の観察され認識された物品がある特定の重量又は重量範囲を有するであろうと判断する。物品が満杯のカン又はビンであるならば、ＲＶＭは詐取の状況の可能性があると判定し、警報を発することができる。更に、示された実施例においては、輸送装置を運転するための駆動手段がドラム型輸送装置自体から（後で説明されるように）分離可能であり、そこで、貯蔵設備組立体から輸送装置を外すことにより、ロードセルは設備に残り（即ち、キャビネットアーム２５０’上に置かれ）、このため、輸送装置の清掃に典型的に使用される恐らくは有害な洗浄剤及び水に晒されることがら保護される。図１７に示されるように、ロードセルがフレーム２０上に置かれた場合は、ロードセルが輸送装置２００の洗浄又は清掃作業の際に損傷を受けないように保証するために特別な寸法を取らねばならない。図１８及び１９の実施例は好ましい実施例である。
【００９０】
［プランジャー型輸送手段］
以下、本考案の静止ハウジング形式の輸送装置部分のピストン状可動プランジャーが説明されるであろう。
【００９１】
静止ハウジング型輸送装置の実質的に線形運動ができるプランジャーの第１の実施例を原則的に示す図２０をまず参照する。この輸送装置は、貯蔵設備の投入物受け入れ区域２１０に面するようにされた一方の側の投入開口２６２、内部空間２６１、実質的に線形運動ができるプランジャー又は摺動部材２７０、第１の出口２６３及び第２の出口２６４を備える。ここでは、プランジャーの直線運動のための率直な設計に基づいたハウジングを例示しているが、ハウジングは任意に選ばれた角度で出力することができるように適宜の方向で湾曲するように設計することができる。湾曲した形状を有するハウジングによる場合は、プランジャーはハウジングの形に対応した湾曲の経路に従うであろう。図２０にはハウジングの一方の側の長いスロット２７２が示される。これは、内部空間２６１の種々の部分におけるプランジャーの位置決めのためにプランジャー２７０へのプランジャー駆動手段（図示せず）の取り付けを許すためのアクセス手段として提供される。かかるスロットは、ハウジングの長手方向に伸びていている適宜の側に取り付けることができ、またプランジャーに平衡のとれた駆動力を提供するために複数の側に取り付けることができる。図２０には、投入物受け入れ区域に置かれ、重力の助けにより及び受け入れ開口２６２の設置によりハウジングの内部空間２６１内に落下し、そしてプランジャーが最初に開口２６２の下方の第１の位置に置かれたときプランジャー２７０に隣接して置かれる回収可能な対象物、物品１０を示す。
【００９２】
静止ハウジング型輸送装置の可動プランジャーを具体化した図２０及び２１に示されたような本考案の輸送装置及び分類装置の好ましい実施例においては、輸送装置は、少なくも１個のローラー２７３を使用し、或いは２個の出口２６３、２６４を２個とも使用する場合は好ましくは２個のローラー２７３、２７３’を使用する物品旋回装置を備えることが適切である。装置は投入開口２６２に隣接して置かれる。プランジャーの上側の面２７１、即ち、投入開口２６２に向かい合った側のプランジャーの面は、投入受け入れ区域内に置かれ、プランジャーの上側面２７１上に置かれた回収可能な対象物／物品１０に対する良好な摩擦を提供するように特に作られた表面構造を持つ。プランジャー２７０の上側面２７１上にある対象物／物品１０の回転は、対象物／物品１０がプランジャー２７０の頂部の上にある間のプランジャー２７０の運動によりこれを得ることができ、この回転はローラー２７３、２７３’により更に増強される。ローラー２７３、２７３’も、回転中、或いはハウジングの長手方向軸線２６０’（図２１及び２３を参照）が水平方向とある角度を形成するならば、対象物／物品１０を開口２６２から離れるように動かすことがない。プランジャー２７０の上側面２７１上にある物品１０の希望角度の旋回を得るために、プランジャー２７０の上側面２７１を、プランジャーの適宜の運動方向において延ばすことができる。１個のローラー２７３で十分であるが、プランジャー型輸送及び分類装置の好ましい実施例は、投入開口２６２の各側に１個ずつ、２個のローラー２７３、２７３’を持ち、ハウジング２６０の長手方向におけるプランジャー２７０の運動に関連してどの方向における物品の回転も容易にする。ローラーは、取付具２７５の各端部において回転可能に支持される。ローラー２７３；２７３’は自由に回転ができ、或いは別の駆動手段の方法により、又はプランジャー２７０若しくはプランジャー用の駆動装置へのリンク機構により駆動することができる。必須ではないが、駆動手段２７４；２７４’、例えばローラーの内側のモーターは、その回転中のローラ０２７３の表面速度が、プランジャー２７０がハウジング２６０内で動かかされたときのハウジング２６０に関するプランジャー２７０の上面２７１の表面速度とほぼ同じであるように配列される。プランジャー２７０上にある回収可能な対象物／物品１０の質量の測定を行うために、ローラー配列２７３は、プランジャー２７０の運動による対象物／物品１０の加速又は回転の関数としてローラーに加えられる反力、又は特にハウジング２６０の長手方向軸線が、例えば水平方向に関して±０゜−３０゜の範囲で傾けられたときのドラムの重量による反力を測定するために、ローラーをその一方の端部において適切に支持するロードセル２７６を備えることができる。
【００９３】
線形運動型の輸送装置の運転の次の段階において、プランジャーの上面２７１が開口２６２から離れて出口２６３又は２６４のいずれかに動かされたとき、回収可能な対象物／物品１０は内部空間２６１の中に入り、次いでプランジャー２７０は反対方向の運動で対象物／物品１０に駆動力を加え、例えば、プランジャーが最初に出口２６４に向かって開口２６２から離れるように動く場合は、対象物／物品を第１の出口２６３に向けて駆動し、或いはプランジャーが最初に出口２６３に向かって開口２６２から離れるように動いた場合は対象物／物品第２の出口２６４に向けで駆動する。いずれの場合も、プランジャー２７０は、対象物物品を、ここに明らかにされる貯蔵設備の貯蔵室の供給用開口１４０（図２ａ参照）、或いは供給用開口１４１又は１４２（図６参照）に向けて強制することが好ましい。
【００９４】
さて、図２２を参照し、静止ハウジング内に可動プランジャーを有する形式の輸送装置及び分類装置の、出口を３個有する更なる変更例が説明されるであろう。この変更例においては、ハウジング内のプランジャー部材に対して少なくも３個の位置が定められる。即ち、プランジャーが開口２６２の直下に位置決めされた状態、プランジャーがプランジャー２７０の第１の運動方向で第１の出口２６３に向かって位置決めされた状態、及びプランジャーが第２の出口２６４の近くに動かされた状態である。分かり易くするために、ローラー２７３、２７３’は図２２には示さないが、ローラーは実際の実施例においてはあるであろう。図２２に示された変更例は、ハウジングの第３の出口２６５を備え、この第３の出口は、投入開口部２６２の下方でこれと向かい合ってハウジング２６０の底部に置かれる。第３の出口２６５は、図２３に示されるが図２２には示されない閉鎖用手段２６５’を備えることが好ましい。閉鎖用手段２６５は、対象物／物品１０を別の出口、例えば出口２６３又は２６４に向けるべきであるときは、ハウジング２６０に入った対象物／物品１０が出口２６５を通ってハウジングから出ないように選択的に保持できるように出口２６５を制御下で閉鎖することができる。第３の出口２６５を選択的に閉鎖する手段２６５’は、別の駆動装置又はアクチェーター２６５”、例えば電磁石により、或いはプランジャー２７０へのリンク機構により、例えばプランジャーがハウジング内の最も遠い位置に置かれたとき、例えば図２０に示されるようなプランジャー２７０の位置を越えたプランジャーの運動に関連してに出口を開口状態にすることにより運転させることができる。投入開口２６２の直上の投入物受け入れ区域２１０内に対象物／物品１０を置き、第３の出口２６５を開口状態とし、更にハウジングの内部空間２６１の投入口２６２と第３の出口２６５との間に設けられた通路を塞がない位置にプランジャー２７０を置くことにより、対象物／物品１０は、開口２６２、ハウジング２６０の内部を通過して開口２６５から出ることができる。投入口２６２から出口２６５までハウジングを真っすぐに移動した後に出た物品１０が図２２に示される。
【００９５】
図２４は、対象物／物品１０、例えばビンを回転させるためにどのようにプランジャー２７０を使用できるか、いずれかの方向でプランジャーを動かすことによりローラー２７３、２７３’が物品１０の安全かつ効率的な回転を支援すかを示す。物品１０がハウジング２６０の内部２６１に入るより前のこれの回転に関する図２４の理解は、出口２６５の存在に拘わらず同じである。事実上、出口３個の実施例は、代わりに、例えば出口２６３と２６４、出口２６３と２６５、又は出口２６４と２６５を有する出口が２個の実施例として作ることができる。
【００９６】
［単カメラ観察装置］
図２５は、第１の光源３００及び第２の光源３０１を示し、光源３０１は複数の副光源３０２、３０３、３０４、３０５より適切に構成されている。光源３００及び３０１は、対象物、例えば回収可能な物品１０；１０’；１０”，１０”’の第１の領域３０６及び第２の領域３０７を照射するように分離して構成される。領域３０６及び３０７の少なくも一部分を観察するために１個のカメラ３０８が設けられる。第１の光源３００は、対象物、物品又は品物、例えば、カン及びビンのような空の飲料容器の輪郭の異なった断面の箇所１０；１０’；１０”，１０”’を、光反射性の背景又は明るい発光している背景を形成してる背景３１３と対比して観察する際にカメラを支援するように構成される。第１の光源３００からの光は、レンズ３１４を使用して平行光として対象物（例えば、箇所１０−１０”’の一つ）に向かって指向される。第２の光源３０１は、観察セクター３１５内における対象物上の識別用の特徴を検知し認識するためのカメラ３０８によるカメラ観察を支援するように構成される。
【００９７】
前記識別用の特徴は、バーコード、シンボルマーク、英数字の内の少なくも一つであることが適切である。
【００９８】
１個のカメラではなくて２個のカメラを使うことも実行可能であるが、１個のカメラの使用が技術的に複雑でなく、単純かつ保守し易い構造にでき、加えて所要の機能を実行するための所要空間がより小さい。更に、構成要素の価格面及び設置費用から、本考案は、カメラ２個の方法に勝るかなりの有利さを提供する。
【００９９】
カメラが対象物の輪郭又はその上の識別用特徴を観察するとき、カメラのセンサーマトリックスが、カメラに、例えばバーコードを読み取らせ識別させる可能性を含み、かかる輪郭又は特徴を識別させ又は認識させるために、処理すべきマトリックス画素信号のストリングを提供する。
【０１００】
図２５−２８から見られるように、第１の光源３００は、光ビームスプリッター（又はビュースプリッター）３１６（図２５及び２６）、３１８（図２７）、又は３１９（図２８）、少なくも１個の傾斜ミラー３２０、及びレンズを含む光路を通って第１の領域３０６を照明する。しかし、最も好ましいバージョンにおいては、図２５−２７に示されるように、光路内に２個のミラー３２０及び３２１が適切に使用される点に注意される。
【０１０１】
図２５、２６、及び２８は、カメラの視野３２２内の斜めの姿勢で置かれかつ前記視野の少なくも一部分、好ましくはカメラ視野の約半分をカバーする光ビームスプリッター３１６；３１９を示す。図２７は、カメラの全視野をカバーする光ビームスプリッター３１８を示す。
【０１０２】
１個のミラー３２０又は２個のミラー３２０、３２１を介した第１の領域３０６のカメラ観察は、第２の領域３０７を見たときに対象物に向かうカメラの視線に関して９０゜±３０゜の角度αだけずらされて対象物に向かう視線によりなされることが適切である。図２５−２８においてはαは９０゜として示される。しかし、ミラー３２０、３２１の配置を変えることにより角度範囲９０゜±３０゜が可能であることは明らかである。
【０１０３】
カメラの視野の半分だけ又はそれ以下の光ビームスプリッター３１６又は３１９が使用される場合は、カメラが第２の領域又はその部分を観察するように設定されたとき、カメラによるセクター３１５の直接観察及び余り明瞭でない視覚を提供するスプリッターを通しての観察の両者を行うことを防ぐように、スプリッターはビジョン遮断装置３２３；３２４により支援される。ビジョン遮断装置３２３；３２４が無くされた場合は、カメラは全領域３０７を観察できるであろう。
【０１０４】
図２７は、完全にビームスプリッター３１８を介して第２の領域３０７を観察するため設定されたカメラを示す。これは、カメラ３０８がスプリッター、ミラー３２１、３２０及びレンズ３１４を介して第１の領域３０６を観察し、次にスプリッターを通して第２の領域３０７を観察することを意味する。後の状況においては、光源３０１は完全に又は部分的に点灯し、光源３００は点灯されない。
【０１０５】
複数の副光源３０２−３０５よりなる光源３０１は、特に、ビームスプリッター３１６；３１８；３１９と前記小型輸送装置及び分類装置２００の形式の対象物支持手段との間の領域に置かれる。図２５、２８−３０に示された実施例においては、対象物支持手段２００は図式的にのみ示されるが、図２６にはより詳細に示される。対象物支持手段２００及び図３２の可能な図式的に示された可能な別形式の実施例のより詳細な作動は、図１−２４の先の説明において明らかにされた。
【０１０６】
さて、対象物、例えば、補助ローラー２４３を有する回転ドラム２２０（図２６参照）の形式の対象物支持手段２００上に置かれた対象物１０のカメラ支援観察の特別な文脈における対象物支持手段２００の、先に明らかにされた特徴の幾つかを手短かに強調することとする。ドラム２２０及びローラー２４３は、ドラムの周囲の部分２２０’又は２２０”上の対象物１０を制御可能であるが強制的に回転させるであろう。ドラム２２０は、前記周囲部分の回転の後で対象物１０を受け入れそして出口位置、例えば一般に矢印２２４、２２６及び２２６’で示された出口位へのにドラムの回転を通して対象物１０を輸送するために少なくも１個の半径方向内向きの調節可能な空間又は空洞部２２２を持つ。カメラ３０８は、物品１０が調整可能な空間２２２内に落とされたとき、その存在を観察し検知させることができる。これは安全機能の側面でありかつ詐取の企みを防ぐ保護機能の側面でもある。これは、可動部材２２３がその完全後退状態で可動の底部として機能している状態で、空間２２２内に対象物のあることをカメラ３０８が実際に観察し検知させるまで、ドラム２００が回転を始めないであろうことを意味する。
【０１０７】
このときドラムが回転する方向は、対象物の特徴を認識するために比較される設定基準により決定される。これは、図３８の説明に関連してより完全に説明され考慮される。更に、対象物の輪郭が側方ではなくて上方から観察可能である場合は、回転ドラム２２０の少なくも一部分、特に、ドラム２２０の部分２２０’及び２２０”に光再帰反射性のコーティングを設けることが有利である。かかる状況は、図２９に示された実施例に関連して特に適し、後で更に説明されるであろう。
【０１０８】
対象物１０のカメラ支援観察に関連して図２０−２４に示されるような別の支持手段を簡潔に繰り返して説明する。１個のカメラが一般に３０８；３０８’で示される。符号３０８’は、例えばビームスプリッター３１８及びミラー３２１、３２０を介してカメラ３０８による観察を表徴する（図２７参照）。前記支持手段は、対象物受け入れ用開口２６２のある案内を形成しかつ内部でプランジャー２７０が往復するハウジング２６０の形式であることが適切である。開口２６２の２個の長手方向側部の一方又は双方に補助ローラー２７３；２７３’があり、このローラーは、プランジャー２７０がその上面２７１とともに前記開口を通過して動くように設定されたとき、プランジャー２７０上の対象物又は物品１０；１０’、１０”、１０”’の回転の際にローラーで支持するためのものであり、これにより、カメラが直ちに観測することができない場合、カメラが対象物又は物品１０の識別用標識を読み取れるようにする。対象物を前記開口２６２を経てハウジング２６０の内部に落とし、更に（図３２に示されるように左に向かう）プランジャー２７０の戻り運動により対象物を出口位置２６３からハウジング外に押し出すために、プランジャー２７０は、前記開口２６２より先、例えば破線２７０”で示された位置に動くように制御することができる。図２６における支持手段２００に関連した理解及び示された考えから、対象物１０はこれが前記開口２６２の下方の前記ハウジング２６０の内側の位置にある間はカメラでの観察が可能であること、提供されたかかる位置はカメラ３０８の視野の少なくも一部分であることが容易に認められる。特別な実施例においては、プランジャー２７０の少なくも上方部分２７１に、光再帰反射性のコーティングが設けられ対象物、例えば１０の輪郭を上方から観察することができる。
【０１０９】
図２９は、１個のカメラ３４０及びレンズ３４３に関して傾けられた光ビームスプリッター３４１の使用を示す。光源３４２は、支持手段２００に向かう平行光線を提供するようにレンズ３４３を通して対象物、例えば１０への照明を提供する。支持手段は、対象物の輪郭の画像を提供するために、再帰反射性材料が設けられ又は対象物に当たらない光がレンズ３４３及びスプリッター３４１を経てカメラに再帰反射して戻ることができる特性を有するドラム部分２２０’及び２２５（図２６参照）を持つ。例えば、バーコードのような例えば上の識別用の特徴を観察し読み取ることが望ましいときは、光源３０１と同形式のものであることが適切な光源３４４が点灯される。必要ならば、同時に光源３４２を消灯させることができる。
【０１１０】
図３０は、機能が図２９の実施例と同様な実施例を示す。光ビームスプリッター３４６がレンズ３４７に関して傾けられた状態で１個のカメラ３４５が使用される。光源３４８は、光反射性の背景又は区域３１３に向かう平行光線を提供するようにレンズ３４７を通して対象物、例えば１０への照明を提供する。この区域は、対象物の輪郭の画像を提供するために、対象物に当たらない光は、レンズ３４７及びスプリッター３４６を経てカメラ３４５に再帰反射して戻ることができる特性を持つ。例えばバーコードのような対象物上の識別用の特徴を観察し読み取る（又は検知する）ことが望ましいときは、光源３４４と同形式、即ち、複数の副光源よりなるもでのであることが適切である。必要な場合は、光源３４９が点灯されると同時に光源３４８を消灯することができる。図３１は、図３０の実施例の変更例であり、主な違いはレンズ３４７が無いことであり、従って平行光線手段により対象物の輪郭を見ることはできない。
【０１１１】
図２５−２８は、第１及び第２の領域３０６、３０７が部分的に重なる事を明らかに示し、図２９−３１は全体の重なりを示す。
【０１１２】
図３３は、光源３００及び再帰反射性の背景３１３が除去され、そして明るい背景を形成する発光し明るくされた又はバックライトされたパネル３５０により置換されることを除いて図２５に示されたと実施例と同様である。ある用途においては、明るい背景を見るためには周囲光で十分である。
【０１１３】
パネル３５０は、１個のカメラ３０８により観察される例えば対象物１０に対する明るい背景を提供するであろう。
【０１１４】
同様な状況が図３４の実施例より与えられ、この実施例は、例えば対象物の輪郭を検知するために、光源３００及び再帰反射性背景区域３１３が除去され、そして１個のカメラ３０８により観察される例えば対象物１０に対比して明るい背景を形成するように、パネル３５０の形式の発光区域により置換されることを除いて、図２７に示された実施例と同様である。
【０１１５】
図３５及び３６に示された更なる実施例も、明るい背景を形成しかつ更に説明されるようにこれに対比してカメラが対象物を観察きるようにする発光パネル３５０に関連する。
【０１１６】
図３５は図３０の実施例の変更例である。この変更例においては第１の光源を構成するパネル３５０に対比して対象物の輪郭、例えば対象物３０９の輪郭を１個のカメラ３５６に観察させ検知させるために、図３０のレンズ３４７又は他の図面のレンズ３１４と同形式のレンズ３５３があることが注意される。第２の光源は符号３４９のものであり、これは２個又はそれ以上の副光源により構成することができる。カメラ３５６は、対象物のできるだけ正確な画像を獲得するために平行光線の使用による観察を可能とするためにレンズ３４７を使用する。カメラが対象物上に置かれた識別用の特徴、例えばバーコード３０１を観察し読み取るときに光源３４９が点灯される。このときパネル３５０は光を放射する表面又は背景を示さず、或いはその発光強度を適切に下げることができる。図３５に示されたその他の構造の詳細は図３９を参照し更に説明されるであろう。
【０１１７】
図３６は、対象物、例えば空の飲料ボトル又はカン１０；１０’；１０”又は１０”’を、前述のパネル３５０のような発光してる背景と対比して観察し得る１個のカメラ３５８を有する実施例である。カメラが対象物上に置かれた識別用の特徴、例えば対象物１０上のバーコード１０””を観察し読み取るために、第２の光源３５９を使うことが好ましい。光源３５９が点灯されると、パネル３５０からの光の強度を落とし、或いはパネル３５０からの光を無くすことは必須ではないが好ましい。光源３４９と同様又は同じな光源３５９は、２個又はそれ以上の副光源より構成することができる。
【０１１８】
図３３−３６の観察から、例えば、検知すべき識別用の特徴を適切に見いだすための検査される対象物の回転は、図２６及び３２により詳細に示される対象物支持手段２２０、２２０、２４３又は２６０、２６２、２７０、２７１、２７３、２７３’の手段によりなされることが認められるであろう。
【０１１９】
更に、第１及び第２の光源、例えば、３００、３０１；３００’、３０１；３４２、３４４；３４８、３４９；３５０、３５１；３５０、３５４；３５０、３４９；３５０、３５９に異なったスペクトル範囲又は成分を持たせることが有利である。また、２個以上の副光源より構成された第２の光源３０１；３４４；３４９；３５９を持つこともできる。更に、副光源は、全て異なり、対で異なり、或いはフループで異なるスペクトル範囲又は成分を持つことができる。光源及び可能な副光源のかかる特徴により、例えば異なった色彩、異なった反射率などを示す例えば対象物上の識別用特徴を検知することができる。
【０１２０】
本考案の更なる態様が、図３７を参照し説明されるであろう。図２５、２６及び３８、並びに図３３の特別な実施例においては、カメラビデオ画像を、第１の領域３０６に関する部分３６０と第２の領域３０７に関する別の部分３６１との二つに分割することが適切であろう。図２７及び３４の実施例においては、領域３０６に対するカメラビデオ画像に専用の半分と領域３０７に対する別の半分に視覚化することができ、或いは領域３０６と３０７の交替するフルビデオ画像を持つことができる。図２９、３０及び３６の実施例においては、選択は交替するフルビデオ画像のみである。
【０１２１】
輪郭３６３に関して対象物３６２の第１の輪郭を観察するカメラは、前記識別用の特徴３６４、例えば対象物上に置かれたバーコードの有無の観察又は認識を更に含むことができる。
【０１２２】
カメラの焦点は正確に特徴３６４上にあることは無いであろうが、カメラは、ここでは３６４’で示された特徴３６４が実際に有るか又は無いかのいずれであるかを部分的な画像３６０に関して少なくも感知し又は検知するであろう。ただし、部分的領域３６０は「不鮮明」又は焦点外れビットを示している。画像部分３６１上に特徴３６４を見ることができず、かつ部分３６０上で見ることができる場合は、これは、対象物をある方向又は他の方向に最大で１８０゜回転させる必要のあることを示すであろう。この態様における２個の画像３６０と３６１との間の比較は、領域３０７内の特徴３６４の正しい観察及び読み取りを可能とするための対象物の必要回転量に影響を与え、従って特徴３６４を見いだし、読み取りそしてこれを記録するための処理時間に関しても重要である。
【０１２３】
前記第１及び第２の両領域を観察するカメラに単一のカメラをこの方法で使用するときは、カメラは、その画像範囲を少なくも２個の部分画像３６０、３６１に再分割することが必須ではないが好ましい。この場合、第１の部分画像３６０は対象物の輪郭の検知及び／又は前記識別用特徴の有無の検知に専用され、第２の部分画像３６１は前記識別用特徴の観察と読み取りに専用される。
【０１２４】
観察領域３０６と３０７との間でカメラを切り替えるとき、領域３０６における識別用特徴の有無の検知の原理及び対象物の回転の必要性が等しく有用であることが容易に理解される。
【０１２５】
［機能的安全手段］
この明細書及び図面で広く開示された装置を使用するとき、本明細書の導入部分において示されたように、安全面、特に装置を操作する作業員の負傷を避けること及び装置の機能低下及び故障を避けることも重要である。
【０１２６】
このため、本考案は、この態様においては、カメラのセンサーマトリックス上の所定の又は専用の画素を読み取るようにされた、即ち、カメラの画像が作られたときにカメラのセンサーマトリックスの物理的画素に割り当てられたハードウエアを読み取るようにされたハードウエア回路の作動により得られた作用から提供される安全基準の実行に焦点を会わせる。
【０１２７】
これから有り得る運転上の危険に関する信頼し得る安全基準が生じ、そこで、例えば、モーターの回転を停止させること又はモーターへの電力供給を断ちその回転力を無くすことによりモーターの運転を停止させる。
【０１２８】
本考案のこの態様は、カメラの機能的な使用により、図３７ａ、３７ｂ、３７ｃ、４０ａ、４０ｂ及び４６を参照し以下より詳細に説明されるであろうように光カーテンを機能的に実行する能率的なハードウエアを提供することができる。
【０１２９】
この実施例においては、いわゆる「ボーダークロッシング（ｂｏｒｄｅｒ  ｃｒｏｓｓｉｎｇ）」、即ち、カメラの視野におけるある事象の検知のために、例えば画像３６０又は３８５のようなカメラ画像が使用される。
【０１３０】
上に示されるように、機能的損傷又は人員の障害或いは機能的又は人員の危険を起こし得る外部由来の妨害に対して、個人又は作業者（例えば、スーパーマーケットの客）のための設備、例えば回収式自動販売機の機能的安全を提供すること、及び可動部品を有するかかる機械を保護することが重要である。光カーテンにより、機能的に、運転を停止させ、又は機械全体を即時停止させそしてかかる運転中断の原因が手当てされるまで更なる運転を抑止することが可能である。
【０１３１】
図４０ａ及び４０ｂ並びに図３７ａ及び３７ｂを参照すれば、交互の暗色のマーキング３８５’、例えば前述のように対象物を観察し、検知し、回転させそして分類するために設備内に送り込む方向３８８における対象物受け入れ用の供給領域における暗色の繰り返しのマーキング３８５’の少なくも一つのアレイ又はコラム３８５が明るい又は発光する背景３１３；３５０上に置かれる。更に、暗色マーキング３８５”’の繰り返しの少なくも一つのアレイ又は列３８５”を背景３１３；３５０上に置くことができる。少なくも一つのかかる列は、入り口又は供給領域が対象物を方向３８８’で供給する場合に有用である。しかし、人間が、対象物を、挿入用開口４２５を通し本質的に上方から動かして観察室内に差し込み、これによりアレイ３８５の不明瞭な観察が避けられるように挿入用開口が構成される場合は、アレイ３８５”は追加の光カーテン機能の提供を支援する。
【０１３２】
列及び／又はコラムの数は２以上とすることができ、例えば２コラムのマーキング及び２列のマーキングが可能であることが、図４０ａの破線で示される。
【０１３３】
図４０ａに示された間隔を空けたマーキング３８５’、３８５”’に代わり又はこれに追加して、図４０ｂに示されるような実線形式のマーキング３９５、３９６、及び３９７を置くことができる。
【０１３４】
１コラム又は１列のマーキング構成或いはコラムと列とが繋がった構成を持つことができる。
【０１３５】
図３７ａは、前述の２個の半画像３６０及び３６１を示し、図３７ｂはカメラの画像センサーマトリックス４０１’の利用可能な画素により提供される一般化された全画像３８６を示す（図３７ｃ参照）。図３７ｂの破線３８７及び／又は３８７’（分かり易くするため図３７ａには示されない）は、マトリックス画素の、利用可能なセンサーマトリックス画素の選定された部分である小部分を、カメラ画像に関して示す。センサーマトリックス画素の前記小部分３８７は、マーキングの列又はコラムの探知に専用とされ、いかなる事象も前記画素の小部分により観察可能であり、そしてモーター、例えば図４６、４７、４８、４９及び５１を参照したモーター４０４又は４２２の運転を停止するように動作を開始させることができる。同様に、センサー画素の前記小部分３８７’は、マーキングのアレイ３８５”又は列の検知に専用であり、いかなる事象も前記画素の小部分により観察可能であり、そしてモーター、例えば図４６、４７、４８、４９及び５１を参照したモーター４０４又は４２２の運転を停止するように動作を開始させることができる。上に示されたように、マーキング３８５’及び３８５”のアレイ３８５及び３８５”の両者があって、両者の小部分３８７及び３８７’がマーキング及び観察可能な事象の検知のために作動するであろう。
【０１３６】
背景区域３１４；３５０はカメラの視野内に置かれ、そして例えば図４０ａに示されるように前記背景区域は、その一部分に、はっきりしたマーキング３８５”のアレイ３８５を示す。
【０１３７】
例えば、図２６及び４０ａに示され、かつ図４６から誘導されるように、背景区域３１３：３５０は、回収式自動販売機のカメラ観察室内に置かれる。室又は投入物受け入れ区域２１０（図６−９）は、カメラにより観察される空の飲料容器の形式の対象物１０を挿入する入り口開口（図４６の４２５参照）を持つ。図４０ａより、マーキングのアレイ３８７が前記観察室２１０の入り口開口又は入り口領域４２５に置かれることに注意される。図３７ａ、３７ｂ及び４０ａに示されるように、マーキングのアレイは、所定のパターン、相互に間隔を空けられたマーキング３８５’のコラム３８５にある。しかし、上述されたように、別なものとし、或いは上方の列として伸びている相互に間隔を空けられたマーキング３８５”’の追加の所定のパターン３８５”とパターン３８５との組み合わせとすることができ、これにより更なる光カーテンを提供し、そして例えば符号３８８’で示されるように誰かが上方から観察室内に、例えば手を入れようとすることにより生ずる安全障害に対する予防する。
【０１３８】
上述のように、カメラ４００のセンサーマトリックス画素の小部分３８７及び／又は小部分３８７’は、前記背景区域に対して前記マーキング３８５’及び／又は３８５”’の画像の提供に専用されるであろう。画素の小部分３８７及び／又は小部分３８７’は、運転ユニット４０８により読み取ることができ、そのハードウエア機能により指令された応答はユニット４０８に入力する。運転ユニット４０８は、前記センサーマトリックス画素の前記小部分を読み取る。更に、運転ユニット４０８は、デジタル処理及び制御ユニット４００と結合され、このユニット４００が、カメラ画像を撮影するとき、カメラの作動を制御する。
【０１３９】
運転ユニットは記憶された基準画素信号値を持ち、この信号値はそれぞれ前記センサーマトリック画素の小部分に関連し、更に前記背景区域３１３；３５０及びその上の前記区別されたマーキングのアレイ３８７の関連する。
【０１４０】
運転ユニット４０８は、前記画素の小部分内のそれぞれの画素から読み取られた画素信号値とかかるそれぞれの画素に割り当てられた対応する基準信号値とを比較することができる。しかし、出力４０８’；４０８”を有する前記運転ユニット４０８は、前記比較信号又は比較信号の組が予め決められた条件から離れたときは、伝えられた信号３９３の信号状態を変えて、信号を適切に不活性化し又は作動しないようにすることができる。
【０１４１】
信号３９３は、不活性化又は非作動化された状態においては、可動部品、例えばモーター及びそのモーターに制御される部品を有する機能的な設備４０４；４２２の運転を事実上無能化し又は停止させる。本考案の好ましいモードにおいては、運転ユニット４０８は、比較が所定の条件を満たしたときは、設備を運転状態に留めておくことができる信号３９３を提供する。かかる設備は、例えば、説明されかつ図面に示されたように回収式自動販売機において見いだすことができる。
【０１４２】
上に示されたように、運転ユニット４０８は、ハードウエアの機能を実行させ、更に運転ユニットは、本技術熟練者によく知られた形式の論理回路のものとすることができ、そして所要の機能を実行するために接続される。運転ユニットは、複数の離散し機能的に建設されたブロック又は特定用途向け集積回路（ＡＳＩＣ）、例えばいわゆるゲートアレイのような、或いはプログラム可能回路、いわゆるフィールドプログラマブルゲートアレイ（ＦＰＧＡ）における実施のように１個の集積回路（ＩＣ）から作ることができる。
【０１４３】
運転ユニット４０８は監視用タイマー４０３を備えることができる。これは前記画素の小部分からの画素信号の読みと基準画素信号値との比較が最小の反復速度でなされたかを調査するように設計される。画素の読み取りは処理及び制御ユニット４００より開始される。前記最小の反復速度が設定値以下である場合は、運転ユニット４０８は、ユニット４０８により管理される設備の運転を無能化し又は停止させる状態の前記信号３９３を出力する。
【０１４４】
不活性化状態における信号３９３は、通常は、新しい監視信号がかかる不活性形式の信号を出さないために予め設定された全ての基準と合致する時点まで存在するであろう。
【０１４５】
適正な作動を提供するために、カメラと明るい又は照明された背景区域を提供する光源とを同期させるべきであると考えられる。前記暗い正方形３８５’のあるカメラの視野に光反射性の材料３１３を使用することが好ましい。しかし、背景３５０がバックライトされ又は照明されたパネルであるならば、これはカメラの作動と同期化されたその作動を見ることができる。
【０１４６】
適正な安全機能を提供するために、室又は区域２１０の監視画像を頻繁に作らねばならないことが認められるであろう。カメラ４０１を使用する場合、作動ユニット４０８の手段及びユニット４００の支援により、完全に輝く線の有無、即ち、全てのマトリックス画素値が所定のダークレベルの閾値以上であるか否かがまず調査されるであろう事を意味する。この場合、コラム３８５のような所定のコラムに属する交互の明暗の探索があるであろう。好ましい実施例においては、暗い区域３８５’の検知された画像は、受け入れに合格するために必要な最大及び最小の間の長さとすべきである。更に、明るい区域は受け入れ前に最小長さのものでなければならない。また、画像は受け入れられる明るい区域で終わるべきである。最後に、受け入れられた暗い区域の積算数は予め定められた数と等しくなければならない。
【０１４７】
図３７ｃは、光カーテン機能に特に関係するシステムブロック図であり、本質的に図４６に示されたブロックの部分として考えるべきである。カメラ４０１は、運転ユニットと組み合わせられたデジタルプロセッサー４００により制御される。このプロセッサーは、図４６においては、処理及び制御ユニット４００として示された。線３８９はカメラ制御を示し、カメラは線３９０上の画像データ信号を操作装置４０８に送る。操作装置４０８はこれに接続された監視タイマー４０３を持つ。ユニット４００は、カメラの撮像開始並びにカメラと背景の照明との同期を適切に制御する。画像データは運転ユニット４００から線３９２を経てプロセッサー４００に送られ、そしてプロセッサー４００は線３９２を経て運転ユニット４０８に幾つかの制御信号を提供する。プロセッサー４００は、必須ではないが、全システムの主プロセッサーであることが適切である。
【０１４８】
最も重要なことは、従来技術より知られかつ導入部において述べられた欠点を避けることである。センサーマトリックス画素の総数の一小部分を形成するセンサーマトリックス画素の専用の組は、ソフトウエアの使用によっては選べず、これはカメラの画像センサーマトリックスにおける物理的画素又はエレメントの限定された数に関連付けられる。光カーテン機能は運転安全の観点から重要であるので、光カーテン機能は全くソフトウエアに基づかないことが絶対不可欠である。
【０１４９】
図３８より、輝く背景３１３；３５０が開口３６５を持つことが注意される。管理された方法で分配されるトークン３６７上の照らされたマーキング３６６をこの開口を介してカメラに読み取らせる。かかるトークン３６７は、例えば図２６又は図３２に示された形式の対象物支持手段により支持されそしてこの手段により取り出される観察された対象物、例えば１０；１０’；１０”；１０”’に関連付けられるようにされる。
【０１５０】
前記カメラは、二者択一的に、選択的に或いは繰り返して、ａ）対象物の輪郭、マーキング３８５’及び３８５”に関連する前記光カーテン、及びこれらの関連する事象を検知させ、ｂ）基準３６２により、図３７ａに示された対象物１０上に置かれた識別用特徴、例えば１０””又は３６４を読み取らせる。
【０１５１】
図２５−３６のすべての実施例は、光カーテン機能がる状態で使用することができるが、本考案による光カーテン機能は、これらの図面に示された構成のものには限定されない。
【０１５２】
［トークンシステム］
図２６、３５、３８、４０ａ、４０ｂ、４１及び４２から分かるように、背景区域、例えば３１３又は３５０は、トークンの積重ねから管理された方法で分配されるようにされたトークン３６７上の照明された印刷され又は予め設けられたマーキング３６６を検知するために、カメラが第１の領域３０６を観察できるように開口３６５を持つことができる。かかるトークンはトークンの続き番号及びＲＶＭにより観察され考察された対象物の回収又は買い戻し額の両者のような情報に関するものとすることができる。観察可能な開口３６５’を通して３６６’により示されたかかるマーキングをカメラがどのように観察したかが画像部分３６０上に示される。
【０１５３】
追加の光源を使用することなくかかるマーキング３６６を効率的に読み取るために、トークン上のマーキングは、再帰反射性材料から作られることが適切である。或いはトークン自体を再帰反射性材料から作ることができ、そして、このような場合は、マーキングは非再帰反射性材料から作られる。
【０１５４】
図３８、４１ａ及び４２に示されるように、前記マーキングは、背景区域３１３；３５０の開口３６５に隣接して置かれたミラー３６８を介して読み取ることができる。これは、トークンが例えばカード形式のものである場合は、分配ユニット３６９から分配できることが実際的な解答である。カードを、ＲＶＭの前面のガイド３７０（図２６及び４１ｂ参照）内に単に差し込み次いで引き抜くだけである場合は、カードガイドは、カードのマーキング３６６のある面を区域３１３又はパネル３５０と平行に置くように、光反射区域３１３又はパネル３５０の背後に置くことができる。
【０１５５】
発光する背景パネル３５０が使用される場合は、パネル３５０は、対象物の輪郭を観察しているカメラを支援することに本来は専用である第１の光源を構成する。しかし、第２の光源からの光は、開口３６５を通して観察し得るトークン３６７上のマーキング３６６の上を照射する必要はないであろうが、かかる光がマーキング上を照射するならば、これは非平行光線、又はカメラがマーキングをはっきりと見てこれを検知させるに十分な光のどちらかである。このような場合、図３５に示されるように光ビームスプリッター３７１及び別の光源３７２を使用することが適切である。
【０１５６】
図２５、２６、２８及び３３に示されたように、カメラの視野の一部をカバーする光ビームスプリッターを使用する場合は、カメラ３０８は前記第１及び第２の双方の領域画像を同時に撮影するように構成されることが適切である。しかし、画像の撮影は前記第１及び第２の領域の交互の撮影、或いは前記第１の領域又は前記第２の領域の部分画像の選択的な撮影に基づくであろう。
【０１５７】
図２７及び３４に見られるように、光ビームスプリッターがカメラの視野を完全にカバーする場合は、カメラ３０８は、例えば図３７ａに示されるように２個の部分画像を形成する前記第１及び第２の領域の双方の画像を同時に撮影するように構成される。しかし、前記第１及び第２の領域の全画像の交互の撮影、或いは前記第１の領域及び第２の領域の部分画像の選択的な撮影を考えることも実行可能であろう。
【０１５８】
図２９−３１、並びに図３５及び３６の実施例においては、カメラ３４０；３４５；３５１；３５６；３５８は、一方は対象物の輪郭の認識向けられ他方は他方は対象物上の識別用特徴に向けられた２個の観察視野の部分画像を同時に観察し撮影できることが適切である。図３０、３５、及び３６の実施例は、更に、例えば図３８−４２に関連して明らかにされたように、トークン上のマーキングの読み取りを提供する。
【０１５９】
第２の光源３０１、又は更に光源３４４、３４９及び３５９を複数の副光源により構成することができ、更に光源３０１は例えば４個以上又は以下とすることができるが４個の副光源３０２−３０５を有するように示し得ることを以上説明した。その他の光源３４４、３４９及び３５９については、符号なしの３個又は４個の副光源が示された。複数個の副光源の理由は、対象物からの光の反射又は対象物の識別用特徴に関する副光源の位置が、特徴の読み取りを困難にし又は不可能にさせることである。この観点から、副光源は、これを対で又はグループで、或いは周期的に独立して点灯させることがが可能であるが選択的に点灯するようにされることが適切である。
【０１６０】
図４３−４５は、トークン、例えばカード３５７を分配するために使用される好ましいカードディスペンサー３６９を示す。ディスペンサー３６９は、貯蔵区画３７４内に収容されたカードの積み重ねからカード３６７を１個づつ分配するための分配用出口３７３を持つ。カード３６７上のマーキング３６６はディスペンサーの底部の開口３７５を通してこれを見ることができる。プッシャー部材又はスライド３７６の往復運動によりカードを１枚ずつ押し出すためにプッシャー部材３７６が設けられる。この往復運動は、モーターへの電力を制御する制御線３７８を有する制御可能なモーター３７７により与えられる。モーター３７７はプッシャー又はスライドを往復運動させるためにその上のラック３７９と噛み合う小歯車（図示せず）を持つ。
【０１６１】
［ＲＶＭの運転システムの概観］
図４６は、本考案の種々の態様が実施されるシステム全体を示す。
【０１６２】
回収式自動販売機（ＲＶＭ）は、ビデオ解析装置４０２を介してカメラ４０１からビデオデータを受け取る前記処理及び制御ユニット４００を持つ。カメラ４０１も運転ユニット４０８に結合され、そして運転ユニットは監視用タイマー４０３及びモーター制御装置を備える。４０４で示されるモーター＃１とその制御装置は、支持手段３２５、３２７、又は前述のようにユニット３３３の駆動装置に関係付けられる。運転ユニット４０８又はジャム検知装置４０６によりジャム検知されない場合にモーター＃１の運転を抑制するために、モーターの過負荷センサー４０５も設けられる。センサー４０５は感圧バーの形式とすることができ、或いはローラー２４３が、凹所又は空間２２２内に不完全に置かれた対象物によるジャムのため生じたローラーに対する圧力も示すように変更されたその重量センサー２５３（図４６においては４１９で示される）を持つことができる。
【０１６３】
運転ユニット４０８は、先に説明されたようにカメラ４０１及び処理制御ユニット（プロセッサー）４００に結合される。本実施例においては、制御はプロセッサー４００を介して行うことができるが、ユニット４０８がモーター制御装置４０４及び４２２を直接制御する。
【０１６４】
先に示したように、光学的に読み取り得るカードは、通常は例えばカメラ４０１により読み取られるであろう。しかし、カードが磁気読み取り／書き込み可能なカード又は無線周波読み取り／書き込み可能なカードである場合は、カードリーダー／カードエンコーダーユニット４１１が必要であろう。前述のようにカードディスペンサー３６１は図３８に４１２で示される。
【０１６５】
トークンは、カード３６７のような容易に作れる予めコード化されたカードであり、これはディスペンサー手段３６９；４１２（図４６）から１枚ずつ分配され、そして特にカードが磁気ストリップ式又は無線式のカードである場合は、ディスペンサー４１２から出口４１２’を通して送り出されるとき、カードリーダー／エンコーダー４１１によりコードが読み取られるであろう。或いは、カードが光学的に読み取り可能なカードであるならば、カードは、図３８、４１ａ及び４２（符号３６５及び３６８を参照）に関連してより詳しく説明されたように開口４２４及び傾斜ミラー４２４’を介してカメラ４０１により読み取られる。
【０１６６】
カードが磁気ストリップ式カード又は無線式カードでありかつディスペンサー内に置かれるときカード上に情報が無い場合は、コードリーダー／エンコーダー４１１は、ディスペンサーからカードが１枚ずつ送り出されるとき、例えば、続き番号又は識別用標識、或いはカードコード又は続き番号、又は識別用標識の組み合わせ及び戻しされ又は支払われる報酬金額のようなカードコードでカードをコード化することができるであろう。
【０１６７】
ＲＶＭにおかれた空の飲料容器の報酬のために使用されるカードがカードディスペンサーから送り出されない場合は、かかるトークンは個人トークンとして、客がこれをＲＶＭに持参し、カードからＲＶＭにカードの識別データを移すように使用される。カードが光学式読み取りカードである場合は、これをカメラ４０１により読み取ることができる。そして更に符号４１１’で示されるようにスロット（図２６の３７０参照）内に差し込むと光再帰反射区域（図２６の３１３参照）の開口（図２６の３７０’参照）を通して観察することができる。カードが無線読み取り式カードである場合は、カードは無線式リーダー４１１”により読み取ることができ、またカードが磁気ストリップ式の読み取り可能なカードであるならば、カードは、これを磁気ストリップリーダー４１１”’により読み取ることができる。
【０１６８】
カードは、光学式読み取り可能、無線読み取り又は書き込み可能、或いは磁気ストリップ読み取り可能又は書き込み可能とは無関係に、どの場合も有効でありそして報酬が支払われた後は無効にされるため、再使用可能なトークンの形式とすることができる。トークンはカードの積み重ね又はバンドから取り出すことができる。カードのバンド又はカードのジグザグに配列されたバンドが使用される場合は、ディスペンサー３６９（図４６においては４１２）は、かかるカード配列用の通常形式のディスペンサーと置き換えることが適切である。また、別形式のエンコーダー４１１を必要とすることもある。いずれの場合も、カードは、少なくも機械で読み取り可能な英数字コードを持つべきである。
【０１６９】
トークンが光学的読み取り可能なカードである場合は、カードは、その上に、バーコード又はカメラ４０１のような光学式リーダーが読み取り得るその他のコードよりなることが適切な予め作られたコードを持つべきである。先に示されたように、バーコード又は光学的に読み取り得るその他のコードは、光に対して再帰反射性であることが好ましい。カードのかかる構成は、カード上のコードを十分に観察するための付加的な光源を作る。逆に、カードを再帰反射性材料で作り、コードを非反射性材料で作ることができる。
【０１７０】
プロセッサー４００は、読み取り可能なトークンコードに関する情報及び前記報酬金に関する情報を報酬金清算及び支払いステーション４１４に直接、又は中央コンピューター設備４１３を経て送るであろう。プロセッサーからコンピューター４１３及びステーション４１４への情報は構内情報通信網（ＬＡＮ）４１５を介して送られる。ステーション４１４は、報奨金又は弁済金を支払うより前にカードを読み取るためにカードリーダー４１６を持つ。次いで、ステーション４１４と組み合わせられたトークン無効化手段４０７により、或いはユニット４００及び／又はコンピューター４１３の内部操作によりカードが無効にされる。別の実施例においては、プロセッサー４００は、いわゆるＰＤＡのようなミニコンピューターの形式とすることのできる「チックオフ（識別）」ユニット４１７と通信する。これは小さい商店に対する有用な解答であり、これを通して可視のカード確認及び支払うべき合計のような表示可能な情報をプロセッサーからユニット４１７に送る。所要金額の支払いの際、オペレーターは表示された特定の項目を調べ、次いでこれはユニット４００及び／又はコンピューター４１３において無効にされ取り消され、ユニット４１７のディスプレイから除去される。
【０１７１】
ＲＶＭはＲＶＭ使用者にいかに操作するかを適正の案内し又は知らせるためにディスプレイ４１８を有することが適切である。ディスプレイがタッチスクリーン式である場合は、客はプロセッサー４００と通信することができる。重すぎる飲料容器がＲＶＭの開口４２５を通してＲＶＭ内に送り込まれたとき、これを見分けるために、図４６において、図１８の説明ではセンサー２５３として示された容器重量センサー４１９が、ローラー２４３の軸２４３’（図２６参照）の端部２４７と組み合うように設けられる。文中の用語「重すぎる」は、ユニット４００が形状及び識別用の特徴に関する情報を受け取った際に、これらのデータをユニット４００内のデータと比較し、これにより、対象物の重量を事実上減らすかそうでないかを決定する。これは先により詳細に説明された。また示されたように重量センサーはジャムセンサー４０５を適切に形成し又は補うことができる。
【０１７２】
安全のためにインターロック機構４２０が設けられる。この機構は、全てのユニットが適正に置かれ更に全てのキャビネットパネルが適正に取り付けられた状態にあり、更にキャビネットのドアが鎖錠さない限りＲＶＭを運転できないことを保証するためのセンサー及びスイッチの組である。
【０１７３】
好ましくは、ユニット４００を介して電力を消費するユニットに結合される電力供給装置４２１が設けられる。
【０１７４】
可撓性の側部及び底部４２６’を巻き又は解すことにより収集容器４２６の容積を調節させるためにモーター及び制御ユニット４２２が設けられる。図５１は収集容器４２６を示すが、収集容器に代わって別の機能設備を設置し運転し得ることが、本技術の通常の熟練者により理解されるであろう。かかる設備は、輸送装置；プッシャーユニット；回転手段；コンピューター；分解装置；分類手段のグループから１種又はそれ以上を備えることができる。モーターと共働するかかる設備の構成の位置決め及び確実性は、収集容器４２６のそれとは実質的に異なった形式とすることができる。収集容器は、重い容器、例えばガラスビンに特に適する。
【０１７５】
図４６の符号４２３はピストンセンサーを示し、これはドラム２２０又はプランジャー２７０の回転位置の検知に使用され、そして図５０ａ及び５０ｂに関連してもう少し詳細に説明されるであろう。
【０１７６】
符号１００は、一般に、支持、分類、輸送及び押し出しユニット２００から送られた対象物を受け入れるための貯蔵区画を示す。図５１にも示されるような貯蔵室又は区画１００は、図１−２４、特に図２−８に関連したこの説明において、先に広く説明されている。
【０１７７】
［電気−機械式駆動装置］
図４７、５０ａ、５０ｂ及び５１は、ユニット２００が歯車５００を介してモーター４０４により駆動されことを示し、歯車５００はユニット２００上の歯車５０１と噛み合いドラム２２０を回転させ更に部材２２３も動かす。ローラー２４３は、小歯車５０２とかなり大きい歯車５０１との間の相互作用により強制的に動かされる。モーター４０４はブラケット５０４によりＲＶＭの枠組５０３に固定取り付けされ、一方、ユニットは清掃のために矢印５０５で示されるように全体としてＲＶＭキャビネット４２８（図１８及び１９においては２５０）から引き出し、そして歯車５００と歯車５０１との間の歯車噛み合い部を清掃した後、再びキャビネット内に押し込むことができる。ユニット２００上には電気部品はなく、液体洗浄、高圧液体洗浄でも何も問題のない機械部品だけである。
【０１７８】
そこで、本考案により提供される利点は、ユニット２００が歯車５００及び５０１により形成された機械式の分離可能な動力伝達用継手を介して連結される点にあることが明らかに分かる。歯車５００は、キャビネット４２８内に静止し固定されたモーター４０４により運転される。電力による駆動装置４０４、５００は、ユニット２００及びその歯車５０１、５０２により分離可能に置かれる。
【０１７９】
図４８ａ及び４８ｂは、モーター４２２により駆動される収集容器４２６を示す。モーター４２２は、本考案を限定しない例において、駆動軸５０８上の翼のある雌の部材５０７内に解放可能に適合するように作られた翼のある雄のスピンドル状の部材５０６を持ち、駆動軸５０８は、本考案を限定しない例において、可撓性の側部及び底部４２６’を巻き又は解すために使用される。容器４２６は、キャビネット４２８を空にして洗浄するためにＲＶＭから引き出し、そして部材５０６と５０７との間を再結合させて再びキャビネット内に押し込むことができる。モーター４２２は、モーター４０４と同様にＲＶＭキャビネットの枠組５０３に、又はキャビネットの壁又はキャビネット内の適宜適切なステーに固定取り付けされる。ユニット２００又は容器４２６がキャビネット内の定位置にありかつキャビネットの前面ドアが閉じられているとき、動力用歯車５００と歯車５０１（図１０における部材２４４）との間、及び部材５０６と５０７との間は完全結合状態にある。部材５０６及び５０７上の翼構造により、回転方向の完全な結合が提供される。
【０１８０】
図４８ａ及び４８ｂにおける雌雄の継手５０６／５０７の代わりに、図４９ａ及び４９ｂに示されたような雌雄の継手を使用することができる。継手の雌部品が取り扱いユニット側にあり、雄部品が駆動モーター側にあることが適切である。ただし、この配列は逆にすることも可能である。
【０１８１】
図４９ａに示される例においては、雄部品は、ハウジング５１１内のバネ５１０により押されかつモーター５１２により駆動軸５１３を介して駆動されるバネ負荷式のプラグ５０９を持つ。雌部品は、例えばユニット２００又は４２６のような取り扱いユニット上に置かれた駆動機構（図示せず）に連結された駆動軸５１５のあるハウジング５１４を持つ。ハウジングは、プラグ５０９に適合するようにされた凹所又はソケット５１６を持つ。取り扱いユニットがキャビネット内に押し込まれるとき、殆どの場合プラグ５０９ソケット５１６とが揃わないため、ハウジング５１４の端部の面５１４’はプラグ５０９の端部の面５０９’と恐らく当たるであろう。しかし、（キャビネット又はキャビネットの枠組かステーに固定取り付けされた）モーター５１２が回転し始めると、ハウジング５１１は、プラグ５０９がハウジング５１１内に押し込まれた状態でプラグがソケット５１６と揃うまで回転し、揃った瞬間にプラグ５０９がハウジング５１１から飛び出してソケット５１６内に入り、これによりモーター５１２と取り扱いユニットとの間の機械的結合が確立する。
【０１８２】
図４９ｂの例においては、雄部品５２４はスパイク５２６のある４個の翼付きのプラグ５２５を持ち、駆動軸５１３を介してモーター５１２により駆動される。雌部品は、例えばユニット２００又は４２６のような取り扱いユニット上に置かれた駆動機構（図示せず）に連結している駆動軸５２８のあるハウジング５２７を持つ。ハウジングは、プラグ５２５に適合するようにされたソケット５２９を持つ。雄部品５２４と雌部品５２７とを揃えるためにスパイク５２６が雌部品５２７の凹所５３０内に適合する。取り扱いユニットがキャビネット内に押し込まれるとき、殆どの場合プラグ５２５はソケット５２９と整列していないため、雌部品５２７の端部の面５２７’が、恐らくはプラグ５２５の端部の面５２５’に当たるであろう。雌部品５２７は、バネ５３１の作用に対抗して軸５２８に沿って後方に押されるであろう。しかし、（キャビネット又はキャビネットの枠組かステーに固定取り付けされた）モーター５１２が回転し始め、プラグ５２５を有する部品５２４が、プラグとソケット５２９とが揃うまで回転した瞬間に、雌部品５２７がバネ力により雄部材５２４に向かって動き、ソケット５２９とプラグ５２５とが機械的に連結されて、これにより、モーター５１２と取り扱いユニットとの間の機械的結合が確立される。
【０１８３】
必要であるならば、符号２００及び４２６のようなユニットをＲＶＭキャビネットに関する定位置に完全に固定するために、保守スタッフが容易に手の届く解放可能な鎖錠手段を設けることができる。
【０１８４】
図４６ａに示されるように、分類装置又はドラム式回転位置検知装置４２３を設けることができる。図５０ａは、ドラム型歯車５１９上のマーキング５１７’、５１８’と相互作用する位置検知装置５１７及び５１８を示す。この検知装置は、前記マーキングを構成している磁気式の金属検知要素とすることができる。検知装置が光学式のものである場合は、マーキングを光学式のものとすることができる。図５０ｂにおいては、光学式検知装置５２０、５２１はドラムの回転軸５２３に取り付けられたコードディスクと相互作用する。
【０１８５】
特許請求の範囲に定められた本考案の範囲内で、本考案の多くの態様に関する種々の部材、手段及び装置の変更例を考えることができる。
【図１ａ】
0003150604.tif 000003
【図１ｂ】
0003150604.tif 000004
【図１ｃ】
0003150604.tif 000005
【図２ａ】
0003150604.tif 000006
【図２ｂ】
0003150604.tif 000007
【図２ｃ】
0003150604.tif 000008
【図３】
0003150604.tif 000009
【図４】
0003150604.tif 000010
【図５】
0003150604.tif 000011
【図６】
0003150604.tif 000012
【図７】
0003150604.tif 000013
【図８】
0003150604.tif 000014
【図９】
0003150604.tif 000015
【図１０】
0003150604.tif 000016
【図１１】
0003150604.tif 000017
【図１２】
0003150604.tif 000018
【図１３】
0003150604.tif 000019
【図１４】
0003150604.tif 000020
【図１５】
0003150604.tif 000021
【図１６】
0003150604.tif 000022
【図１７】
0003150604.tif 000023
【図１８】
0003150604.tif 000024
【図１９】
0003150604.tif 000025
【図２０】
0003150604.tif 000026
【図２１】
0003150604.tif 000027
【図２２】
0003150604.tif 000028
【図２３】
0003150604.tif 000029
【図２４】
0003150604.tif 000030
【図２５】
0003150604.tif 000031
【図２６】
0003150604.tif 000032
【図２７】
0003150604.tif 000033
【図２８】
0003150604.tif 000034
【図２９】
0003150604.tif 000035
【図３０】
0003150604.tif 000036
【図３１】
0003150604.tif 000037
【図３２】
0003150604.tif 000038
【図３３】
0003150604.tif 000039
【図３４】
0003150604.tif 000040
【図３５】
0003150604.tif 000041
【図３６】
0003150604.tif 000042
【図３７ａ】
0003150604.tif 000043
【図３７ｂ】
0003150604.tif 000044
【図３７ｃ】
0003150604.tif 000045
【図３８】
0003150604.tif 000046
【図３９】
0003150604.tif 000047
【図４０ａ】
0003150604.tif 000048
【図４０ｂ】
0003150604.tif 000049
【図４１ａ】
0003150604.tif 000050
【図４１ｂ】
0003150604.tif 000051
【図４２】
0003150604.tif 000052
【図４３】
0003150604.tif 000053
【図４４】
0003150604.tif 000054
【図４５】
0003150604.tif 000055
【図４６】
0003150604.tif 000056
【図４７】
0003150604.tif 000057
【図４８】
0003150604.tif 000058
【図４９ａ】
0003150604.tif 000059
【図４９ｂ】
0003150604.tif 000060
【図５０ａ】
0003150604.tif 000061
【図５０ｂ】
0003150604.tif 000062
【図５１】
0003150604.tif 000063
【手続補正書】
【提出日】平成21年3月10日(2009.3.10)
【手続補正１】
【補正対象書類名】実用新案登録請求の範囲
【補正対象項目名】全文
【補正方法】変更
【補正の内容】
【実用新案登録請求の範囲】
【請求項１】
観察された特徴に関する信号の続く処理を可能とするために対象物（１０、１０‘、１０“、１０’‘’）の特有の特徴をカメラで観察できるようにするための装置において、
１個のカメラは、対象物が観察ステーションにあるときに対象物の少なくも第１及び第２の領域を観察できるように配列された視野を有する１個のカメラ（３０８）と、
対象物の輪郭を第１の領域でカメラが観察するのを支援するように対象物（１０、１０‘、１０“、１０’‘’）の第１の領域（３０６）を第１の方向に照明するように配置される第１の光源（３００、３５０）と、
対象物上に配置される識別用の特徴を第２の領域（３０７）でカメラが観察するのを支援するように対象物（１０、１０‘、１０“、１０’‘’）の第２の領域（３０７）を第２の異なった方向に照明するように配置される第２の光源（３０１、３０２−３０５）と、
を具備することを特徴とするを特徴とする装置。
【請求項２】
第１の光源（３００、３５０）からの光が、背景区域、又は第２の光源（３０１、３０２−３０５）からの光と異なる成分を有している請求項１による装置。
【請求項３】
第２の光源（３０１、３０２−３０５）が複数の補助の光源から成り、異なる背景区域又は背景成分が補助の光源に作用されるので、全ての補助の光源が異なるか、補助の光源が対毎に異なるか、或いは補助の光源が組み毎に異なっている請求項１又は２による装置。
【請求項４】
光ビームスプリッター（３１６、３１８、３１９）がカメラの視野内に傾斜して配置されて視野の少なくも一部分をカバーする請求項１〜３のいずれか１による装置。
【請求項５】
第１の区域（３０６）を観察する１個のカメラ（３０８）が光学ビームスプリッター（３１６、３１８、３１９）及び少なくとも１個のミラー（３２０、３２１）を介している請求項４による装置。
【請求項６】
カメラ（３０８）が光学ビームスプリッター（３１８）を介して第２の領域（３０７）を観察するように構成されている請求項４又は５による装置。
【請求項７】
カメラ（３０８）が光学ビームスプリッター（３１８）の位置の外側の第２の領域（３０７）を観察するように構成されている請求項４又は５による装置。
【請求項８】
第１の領域が、第１の光源（３００、３５０）により提供された光背景（３１３、３５０）に対してカメラによって観察できる請求項１〜７のいずれか１による装置。
【請求項９】
追加の対象物輪郭認識に関する第１の領域（３０６）を観察するカメラ（３０８）が、対象物上に配置される特有の特徴の存在又は不在を提供するように構成されている請求項１〜８のいずれか１による装置。
【請求項１０】
カメラ（３０８）は、少なくとも２つの部分的な像（３６４、３６４‘）に分解される視野における観察を有しており、第１の部分的な像（３６０）は、特有な特徴（３６４、３６４’）の存在と特有な特徴の不在の少なくとも１つを検出するように構成されており、第２の部分的な像（３６１）は、特有な特徴（３６４、３６４‘）が存在するのを確認するように構成されている請求項１〜９のいずれか１による装置。
【請求項１１】
背景区域（３１３、３５０）は、背景区域（３１３、３５０）の後側に隣接して置かれたトークン（３６７）上の照明されたマーキング（３６６）をカメラ（３０８）が読み取るための開口（３６５）を有し、前記トークン（３６７）は、トークン分配装置（３６９）から管理された方法で分配され且つ対象物支持手段により支持される少なくも１個の観察された対象物（１０、１０‘、１０“、１０’‘’）に関連するように構成される請求項１〜１０のいずれか１による装置。
【請求項１２】
トークン（３６７）上のマーキング（３６６）が、光反射性材料、再起反射性材料、及び反射性のトークン材料上の非反射性材料の１つよりから作られている請求項１１による装置。
【請求項１３】
マーキング（３６６）が、発光し又は明るい背景区域（３１３３５０）の開口（３８５）に隣接して配置された傾斜したミラー（３６８）を介してカメラにより読み取ることができる請求項１１又は１２による装置。
【請求項１４】
前記第１の光源が前記マーキングの照明を提供する請求項１３０、１３１又は１３２による装置。
【請求項１５】
カメラの視野を完全に占める光ビームスプリッター（３１８）を有し、カメラは、第１（３００、３５０）及び第２（３０１、３０２−３０５）の光源の対応する作動により交互に、又は選択的に或いは同時に第１（３０６）及び第２（３０７）の区域を観察するように構成されている請求項１〜１３のいずれか１による装置。
【請求項１６】
第２の光源（３０１、３０２、３０５）が、複数の光提供用副光源（３０２−３０５）、残りの１つ以上の光提供用副光源（３０２−３０５）により提供される光のスペクトル範囲と異なるスペクトル範囲の光を提供する幾つかの副光源から成る請求項１〜１５のいずれか１による装置。